(57)【要約】【課題】カラオケ店に来店した客が、四種類のソース機器と、シンク機器との接続を簡単に切り替えでき、これにより、カラオケコマンダーに格納されている楽曲データ以外の楽曲データが利用できるとともに、カラオケ以外のコンテンツを手軽に楽しむことができるカラオケ機器切替装置の提供。【解決手段】カラオケ機器切替装置Ａは、歌唱者が四連動プッシュ式スイッチ１の何れかの押圧釦を押し込むと、選択したソース機器がシンク機器Ｃおよびアンプ２３に接続され、カラオケコマンダー４１に格納されている楽曲データ以外に、他のソース機器から取得できる楽曲データが利用できるとともに、カラオケ以外のコンテンツ（ビデオゲーム、映画鑑賞、テレビの試聴）を手軽に楽しむことができる。【選択図】図１
2019128410.tif 000002
【特許請求の範囲】
【請求項１】
第１〜第４押圧釦の内の任意の押圧釦の押込操作により他の押圧釦を初期位置に復帰させて各電気接点を開閉する単投形の四連動プッシュ式スイッチと、    
スピーカー群とライン入力端子を有するアンプとを備えた音響装置と、
ＨＤＭＩ入力端子を有し、動画や静止画の表示が可能なディスプレイであるシンク機器と、
前記スピーカー群から発せられる音響および前記シンク機器の前記ディスプレイに表示される映像に合わせて歌唱者が発声する音声を電気信号に変換するとともに、該電気信号を赤外線や電波に重畳させるマイクと、
赤外線や電波に重畳された前記電気信号を復調して増幅し、この増幅された音声信号を二系統、出力するマイクレシーバーと、
ネットワークを介してサーバから配信される多数の楽曲データーを格納する記憶装置を有し楽曲演奏用のデジタル映像信号を出力するＨＤＭＩ出力端子、および前記マイクレシーバーが出力する音声信号を伴奏用の音響信号に重畳したアナログ音響信号を出力するライン出力端子を有するカラオケコマンダーである第１のソース機器と、
デジタル映像信号を出力するＨＤＭＩ出力端子およびアナログの音響信号を出力するライン出力端子を有するパソコンである第２のソース機器と、
デジタル映像信号を出力するＨＤＭＩ出力端子およびアナログの音響信号を出力するライン出力端子を有する光ディスクプレーヤーである第３のソース機器と、
携帯端末のＬｉｇｈｔｎｉｎｇ出力またはＭＨＬ出力をＨＤＭＩ出力に変換しデジタル映像信号を出力するＨＤＭＩ出力端子、およびアナログの音響信号を出力するライン出力端子を有するＨＤＭＩ変換器である第４のソース機器と、
前記マイクレシーバーが出力する前記音声信号を入力するための外部音声入力端子、該外部音声入力端子から入力された前記音声信号のレベルを調整して出力部から出力する音声ミキサー、前記第１のソース機器が出力するデジタル映像信号およびアナログ音響信号を入力するための第１のＨＤＭＩ入力端子および第１のライン入力端子、前記第２のソース機器が出力するデジタル映像信号およびアナログ音響信号を入力するための第２のＨＤＭＩ入力端子および第２のライン入力端子、前記第３のソース機器が出力するデジタル映像信号およびアナログ音響信号を入力するための第３のＨＤＭＩ入力端子および第３のライン入力端子、前記第４のソース機器が出力するデジタル映像信号およびアナログ音響信号を入力するための第４のＨＤＭＩ入力端子および第４のライン入力端子、ＨＤＭＩ出力端子およびライン出力端子、および切替手段を制御するマイクロコンピュターを有する入力切替装置とを備えるセレクターと、
第１〜第４のソース機器の各ＨＤＭＩ出力端子と前記セレクターの第１〜第４のＨＤＭＩ入力端子とを接続する四本の入力側のＨＤＭＩケーブルと、
前記セレクタのＨＤＭＩ出力端子と前記シンク機器のＨＤＭＩ入力端子とを接続する出力側のＨＤＭＩケーブルと、
第１〜第４のソース機器の各ライン出力端子と前記セレクターの第１〜第４のライン入力端子とを接続する四本の入力側のＲＣＡケーブルと、
前記セレクタのライン出力端子と前記アンプのライン入力端子とを接続する出力側のＲＣＡケーブルとを具備するカラオケ機器切替装置であって、
前記セレクターは、前記四連動プッシュ式スイッチの各接点と接続ケーブルで電気接続され、
前記マイクロコンピュターは、
前記第１押圧釦の押込位置では、第１のＨＤＭＩ入力端子、前記第１のライン入力端子が、それぞれ、前記セレクターのＨＤＭＩ出力端子、前記セレクターの前記ライン出力端子へ電気的に接続される様に前記切替手段を操作し、
前記第２押圧釦の押込位置では、前記第２のＨＤＭＩ入力端子が前記セレクターのＨＤＭＩ出力端子へ電気的に接続され、前記第２のライン入力端子および前記音声ミキサーの出力部が前記セレクターの前記ライン出力端子へ電気的に接続される様に前記切替手段を操作し、
前記第３押圧釦の押込位置では、前記第３のＨＤＭＩ入力端子が前記セレクターのＨＤＭＩ出力端子へ電気的に接続され、前記第３のライン入力端子および前記音声ミキサーの出力部が前記セレクターの前記ライン出力端子へ電気的に接続される様に前記切替手段を操作し、
前記第４押圧釦の押込位置では、前記第４のＨＤＭＩ入力端子が前記セレクターの前記ＨＤＭＩ出力端子へ電気的に接続され、前記第４のライン入力端子および前記音声ミキサーの出力部が前記セレクターの前記ライン出力端子へ電気的に接続される様に前記切替手段を操作することを特徴とするカラオケ機器切替装置。
【請求項２】
第１〜第４押圧釦の内の任意の押圧釦の押込操作により他の押圧釦を初期位置に復帰させて各電気接点を開閉する単投形の四連動プッシュ式スイッチと、    
スピーカー群とライン入力端子を有するアンプとを備えた音響装置と、
ＨＤＭＩ入力端子を有し、動画や静止画の表示が可能な第１のディスプレイである第１のシンク機器と、
ＨＤＭＩ入力端子を有し、動画や静止画の表示が可能な第２のディスプレイである第２のシンク機器と、
前記スピーカー群から発せられる音響、および前記第１のシンク機器の第１ディスプレイまたは前記第２のシンク機器の第２ディスプレイに表示される映像に合わせて歌唱者が発声する音声を電気信号に変換するとともに、該電気信号を赤外線や電波に重畳させるマイクと、
赤外線や電波に重畳された前記電気信号を復調して増幅し、この増幅された音声信号を二系統、出力するマイクレシーバーと、
ネットワークを介してサーバから配信される多数の楽曲データーを格納する記憶装置を有し楽曲演奏用のデジタル映像信号を出力するＨＤＭＩ出力端子、および前記マイクレシーバーが出力する音声信号を伴奏用の音響信号に重畳したアナログ音響信号を出力するライン出力端子を有するカラオケコマンダーである第１のソース機器と、
デジタル映像信号を出力するＨＤＭＩ出力端子およびアナログの音響信号を出力するライン出力端子を有するパソコンである第２のソース機器と、
デジタル映像信号を出力するＨＤＭＩ出力端子およびアナログの音響信号を出力するライン出力端子を有する光ディスクプレーヤーである第３のソース機器と、
携帯端末のＬｉｇｈｔｎｉｎｇ出力またはＭＨＬ出力をＨＤＭＩ出力に変換しデジタル映像信号を出力するＨＤＭＩ出力端子、およびアナログの音響信号を出力するライン出力端子を有するＨＤＭＩ変換器である第４のソース機器と、
前記マイクレシーバーが出力する前記音声信号を入力するための外部音声入力端子、該外部音声入力端子から入力された前記音声信号のレベルと音調を調整して出力部から出力する音声ミキサー、前記第１のソース機器が出力するデジタル映像信号およびアナログ音響信号を入力するための第１のＨＤＭＩ入力端子および第１のライン入力端子、前記第２のソース機器が出力するデジタル映像信号およびアナログ音響信号を入力するための第２のＨＤＭＩ入力端子および第２のライン入力端子、前記第３のソース機器が出力するデジタル映像信号およびアナログ音響信号を入力するための第３のＨＤＭＩ入力端子および第３のライン入力端子、前記第４のソース機器が出力するデジタル映像信号およびアナログ音響信号を入力するための第４のＨＤＭＩ入力端子および第４のライン入力端子、ＨＤＭＩスプリッターにより二分配されたデジタル映像信号が出力される第１のＨＤＭＩ出力端子と第２のＨＤＭＩ出力端子、ライン出力端子、および切替手段を制御するマイクロコンピュターを有する入力切替装置を備えるセレクターと、
第１〜第４のソース機器の各ＨＤＭＩ出力端子と前記セレクターの第１〜第４のＨＤＭＩ入力端子とを接続する四本の入力側のＨＤＭＩケーブルと、
前記セレクタの第１のＨＤＭＩ出力端子および第２のＨＤＭＩ出力端子と前記第１、第２のシンク機器の各ＨＤＭＩ入力端子とを接続する出力側の二本の出力側のＨＤＭＩケーブルと、
第１〜第４のソース機器の各ライン出力端子と前記セレクターの第１〜第４のライン入力端子とを接続する四本の入力側のＲＣＡケーブルと、
前記セレクタのライン出力端子と前記アンプのライン入力端子とを接続する出力側のＲＣＡケーブルとを具備するカラオケ機器切替装置であって、
前記セレクターは、前記四連動プッシュ式スイッチの各接点と接続ケーブルで電気接続され、
前記マイクロコンピュターは、
前記第１押圧釦の押込位置では、第１のＨＤＭＩ入力端子、前記第１のライン入力端子が、それぞれ、前記ＨＤＭＩスプリッターの入力部、前記セレクターの前記ライン出力端子へ電気的に接続される様に前記切替手段を操作し、
前記第２押圧釦の押込位置では、前記第２のＨＤＭＩ入力端子が前記ＨＤＭＩスプリッターの入力部へ電気的に接続され、前記第２のライン入力端子および前記音声ミキサーの出力部が前記セレクターの前記ライン出力端子へ電気的に接続される様に前記切替手段を操作し、
前記第３押圧釦の押込位置では、前記第３のＨＤＭＩ入力端子が前記ＨＤＭＩスプリッターの入力部へ電気的に接続され、前記第３のライン入力端子および前記音声ミキサーの出力部が前記セレクターの前記ライン出力端子へ電気的に接続される様に前記切替手段を操作し、
前記第４押圧釦の押込位置では、前記第４のＨＤＭＩ入力端子が前記ＨＤＭＩスプリッターの入力部へ電気的に接続され、前記第４のライン入力端子および前記音声ミキサーの出力部が前記セレクターの前記ライン出力端子へ電気的に接続される様に前記切替手段を操作することを特徴とするカラオケ機器切替装置。
【発明の詳細な説明】
【技術分野】
【０００１】
本発明は、カラオケ機器切替装置に関する。
【背景技術】
【０００２】
カラオケルームに設置されているカラオケシステムは、通常、ディスプレイや音響装置が、複数のケーブルでカラオケコマンダーに接続されており、来店した客がカラオケを楽しめる様になっている。なお、ディスプレイや音響装置をカラオケ以外の目的（ビデオゲーム、映画鑑賞、テレビの試聴）に使おうとすると、複数のケーブルを繋ぎ替える必要がある。
特許文献１や特許文献２には、画像切り替え手段を有するカラオケシステムが記載されている。
【先行技術文献】
【特許文献】
【０００３】
【特許文献１】特開平１０−２８２９７５号公報
【特許文献２】特開平１０−２８２９７５号公報
【発明の概要】
【発明が解決しようとする課題】
【０００４】
これらのカラオケシステムでは、カラオケ装置のＬＤ等の背景画像記憶手段の映像と、ビデオＣＤプレーヤ等の外部画像記憶装置の映像とを、画面切り替え手段での切り替えが可能である。
しかし、画面の切り替えが、コインの投入や、リモコン（選曲等のコマンダー操作も兼ねる）であるので使い勝手が悪いとともに、現在、モニター画面に表示されている歌唱用の映像や、スピーカーから出ている伴奏音が、どの装置のものか一見して判らない。
また、最近では、インターネット上にある楽曲データーを、携帯端末やパソコンを介して取得して、カラオケコマンダーに入っていない曲を歌唱したいと言うニーズもある。
【０００５】
本発明の目的は、カラオケ店に来店した客が、四種類のソース機器（カラオケコマンダー、光ディスクプレーヤー、パソコン、携帯端末）と、シンク機器（モニター）との接続を簡単に切り替えでき、これにより、カラオケコマンダーに格納されている楽曲データ以外の楽曲データが利用できるとともに、カラオケ以外のコンテンツを手軽に楽しむことができるカラオケ機器切替装置の提供にある。
【課題を解決するための手段】
【０００６】
［請求項１について］
カラオケ機器切替装置は、四連動プッシュ式スイッチと、音響装置と、ディスプレイであるシンク機器と、マイクと、マイクレシーバーと、第１〜第４のソース機器と、セレクターと、入力側のＨＤＭＩケーブルと、出力側のＨＤＭＩケーブルと、入力側のＲＣＡケーブルと、出力側のＲＣＡケーブルとを備える（なお、ＨＤＭＩは登録商標）。
【０００７】
四連動プッシュ式スイッチは、単投形であり、第１押圧釦〜第４押圧釦の内の任意の押圧釦を押込操作する（電気接点が閉になる）と、他の押圧釦が初期位置（電気接点が開状態）に復帰する構造であり、これにより、各電気接点が開閉される。
【０００８】
音響装置は、スピーカー群と、ライン入力端子を有するアンプとを備える。
シンク機器は、ＨＤＭＩ入力端子を有し、動画や静止画の表示が可能なディスプレイである。
【０００９】
マイクは、スピーカー群から発せられる音響およびシンク機器のディスプレイに表示される映像に合わせて歌唱者が発声する音声を電気信号に変換するとともに、この電気信号を赤外線や電波に重畳させる。
【００１０】
マイクレシーバーは、赤外線や電波（マイクから発信）に重畳した電気信号を復調して増幅し、この増幅された音声信号を二系統、出力する。
【００１１】
第１のソース機器は、ネットワークを介してサーバから配信される多数の楽曲データーを格納する記憶装置を有し、楽曲演奏用のデジタル映像信号を出力するＨＤＭＩ出力端子と、マイクレシーバーが出力する音声信号（一系統側）を伴奏用の音響信号に重畳したアナログ音響信号を出力するライン出力端子とを有するカラオケコマンダーである。
【００１２】
第２のソース機器は、デジタル映像信号を出力するＨＤＭＩ出力端子と、アナログの音響信号を出力するライン出力端子とを有するパソコンである。
第３のソース機器は、デジタル映像信号を出力するＨＤＭＩ出力端子と、アナログの音響信号を出力するライン出力端子とを有する光ディスクプレーヤーである。
【００１３】
第４のソース機器は、携帯端末のＬｉｇｈｔｎｉｎｇ出力または携帯端末のＭＨＬ出力をＨＤＭＩ出力およびアナログ出力に変換するＨＤＭＩ変換器であり、デジタル映像信号を出力するＨＤＭＩ出力端子と、アナログの音響信号を出力するライン出力端子とを有する。
【００１４】
セレクターは、外部音声入力端子と、音声ミキサーと、第１のＨＤＭＩ入力端子および第１のライン入力端子と、第２のＨＤＭＩ入力端子および第２のライン入力端子と、第３のＨＤＭＩ入力端子および第３のライン入力端子と、第４のＨＤＭＩ入力端子および第４のライン入力端子と、ＨＤＭＩ出力端子およびライン出力端子と、切替手段を制御するマイクロコンピュターを有する入力切替装置とを備える。
【００１５】
外部音声入力端子には、マイクレシーバーが出力する音声信号（二系統側）が入力される。音声ミキサーは、外部音声入力端子から入力された音声信号のレベルを調整して出力部から調整済の音声信号を出力する。
【００１６】
第１のＨＤＭＩ入力端子には、カラオケコマンダーである第１のソース機器が出力するデジタル映像信号が入力される。第１のライン入力端子には、カラオケコマンダーである第１のソース機器が出力するアナログ音響信号が入力される。
【００１７】
第２のＨＤＭＩ入力端子には、パソコンである第２のソース機器が出力するデジタル映像信号が入力される。第２のライン入力端子には、パソコンである第２のソース機器が出力するアナログ音響信号が入力される。
【００１８】
第３のＨＤＭＩ入力端子には、光ディスクプレーヤーである第３のソース機器が出力するデジタル映像信号が入力される。第３のライン入力端子には、光ディスクプレーヤーである第３のソース機器が出力するアナログ音響信号が入力される。
【００１９】
第４のＨＤＭＩ入力端子には、ＨＤＭＩ変換器である第４のソース機器が出力する携帯端末のデジタル映像信号が入力される。第４のライン入力端子には、ＨＤＭＩ変換器である第４のソース機器が出力する携帯端末のアナログ音響信号が入力される。
【００２０】
セレクターは、四連動プッシュ式スイッチの各接点と接続ケーブルで電気接続されている。
四連動プッシュ式スイッチの第１押圧釦が押し込まれた位置では、セレクターの第１のＨＤＭＩ入力端子がセレクターのＨＤＭＩ出力端子へ電気的に接続され、セレクターの第１のライン入力端子がセレクターのライン出力端子へ電気的に接続される様に、入力切替装置のマイクロコンピュターが切替手段を制御する。  
【００２１】
四連動プッシュ式スイッチの第２押圧釦が押し込まれた位置では、セレクターの第２のＨＤＭＩ入力端子がセレクターのＨＤＭＩ出力端子へ電気的に接続され、セレクターの第２のライン入力端子および音声ミキサーの出力部がセレクターのライン出力端子へ電気的に接続される（第２のライン入力端子に入力されるパソコンが出力するアナログの音響信号と、音声ミキサーで調整済の音声信号とを重畳した信号がライン出力端子へ出力される）様に切替手段を制御する。
【００２２】
四連動プッシュ式スイッチの第３押圧釦が押し込まれた位置では、セレクターの第３のＨＤＭＩ入力端子がセレクターのＨＤＭＩ出力端子へ電気的に接続され、セレクターの第３のライン入力端子および音声ミキサーの出力部がセレクターのライン出力端子へ電気的に接続される（第３のライン入力端子に入力される光ディスクプレーヤーが出力するアナログの音響信号と、音声ミキサーで調整済の音声信号とを重畳した信号がライン出力端子へ出力される）様に切替手段を制御する。
【００２３】
四連動プッシュ式スイッチの第４押圧釦が押し込まれた位置では、セレクターの第４のＨＤＭＩ入力端子がセレクターのＨＤＭＩ出力端子へ電気的に接続され、セレクターの第４のライン入力端子および音声ミキサーの出力部がセレクターのライン出力端子へ電気的に接続される（第４のライン入力端子に入力されるアナログの音響信号と、音声ミキサーで調整済の音声信号とを重畳した信号がライン出力端子へ出力される）様に切替手段を制御する。
【００２４】
四本の入力側のＨＤＭＩケーブルは、各々、第１〜第４のソース機器の各ＨＤＭＩ出力端子とセレクターの第１〜第４のＨＤＭＩ入力端子とを接続するものである。
出力側のＨＤＭＩケーブルは、セレクタのＨＤＭＩ出力端子と、ディスプレイであるシンク機器のＨＤＭＩ入力端子とを接続するものである。
【００２５】
四本の入力側のＲＣＡケーブルは、各々、第１〜第４のソース機器の各ライン出力端子とセレクターの第１〜第４のライン入力端子とを接続するものである。
出力側のＲＣＡケーブルは、セレクターのライン出力端子とアンプのライン入力端子とを接続するものである。
【００２６】
請求項１のカラオケ機器切替装置は、下記の利点を有する。
カラオケ店に来店した歌唱者または同伴者が、四連動プッシュ式スイッチの第１押圧釦〜第４押圧釦の何れかを押圧して押し込めば、四種類のソース機器（カラオケコマンダー、光ディスクプレーヤー、パソコン、携帯端末）を簡単に切り替えることができる。
【００２７】
なお、四連動プッシュ式スイッチは、単投形で、第１押圧釦〜第４押圧釦のどれかを押込操作する（電気接点が閉になる）と、他の押圧釦が初期位置（電気接点が開状態）に復帰する構造であるので、現在、どの押圧釦が押込操作されているか、一目で判る、このため、歌唱者および同伴者は、現在、どのソース機器（カラオケコマンダー、光ディスクプレーヤー、パソコン、携帯端末）が利用できるのか容易に判別できる。
【００２８】
四連動プッシュ式スイッチを切り替えることにより、ケーブルを繋ぎ替えることなく、カラオケコマンダー以外に、光ディスクプレーヤー、パソコン、または携帯端末と言ったソース機器が、音響装置およびシンク機器（ディスプレイ）に電気的に接続される。
このため、カラオケ店に来店した歌唱者および同伴者は、楽曲の伴奏データが入った私有の光ディスクを持ち込んで光ディスクプレーヤーで再生したり、備え付けのパソコンや、私有の携帯端末を使ってインターネットから楽曲の伴奏データを取り込んで利用することができる。また、カラオケ以外のコンテンツ（ビデオゲーム、映画鑑賞、テレビの試聴）を手軽に楽しむことができる。
【００２９】
カラオケコマンダー以外のソース機器を使う場合も、同じマイクを使って歌唱することができるので、カラオケ機器切替装置は、使い勝手が良い。なお、外部音声入力端子から入力されたマイクレシーバーの音声信号のレベルを音声ミキサーで調整できるので快適に歌唱することができる。
【００３０】
マイクレシーバーが音声信号を二系統出力し、一系統側の音声信号をカラオケコマンダーに入力しているので、カラオケコマンダーの採点機能が損なわれない。
【００３１】
各ソース機器（カラオケコマンダー、光ディスクプレーヤー、パソコン、携帯端末）の各ＨＤＭＩ出力端子に接続されるセレクターの第１〜第４のＨＤＭＩ入力端子と、シンク機器（ディスプレイ）のＨＤＭＩ入力端子に接続されるセレクターのＨＤＭＩ出力端子との電気接続を切替手段が完全に切り替えているのに加え、各ソース機器のライン出力端子に接続されるセレクターの第１〜第４のライン入力端子と、アンプのライン入力端子との電気接続を切替手段が完全に切り替えているので、四連動プッシュ式スイッチのどれかの押圧釦を押込操作してソース機器を切り替える際に、ソース機器間の干渉が防止できる。
【００３２】
［請求項２について］
カラオケ機器切替装置は、四連動プッシュ式スイッチと、音響装置と、第１、第２のディスプレイである第１、第２のシンク機器と、マイクと、マイクレシーバーと、第１〜第４のソース機器と、セレクターと、入力側のＨＤＭＩケーブルと、出力側のＨＤＭＩケーブルと、入力側のＲＣＡケーブルと、出力側のＲＣＡケーブルとを備える。
【００３３】
四連動プッシュ式スイッチは、単投形であり、第１押圧釦〜第４押圧釦の内の任意の押圧釦を押込操作する（電気接点が閉になる）と、他の押圧釦が初期位置（電気接点が開状態）に復帰する構造であり、これにより、各電気接点が開閉される。
【００３４】
音響装置は、スピーカー群と、ライン入力端子を有するアンプとを備える。
第１のシンク機器は、ＨＤＭＩ入力端子を有し、動画や静止画の表示が可能な第１のディスプレイである。
第２のシンク機器は、ＨＤＭＩ入力端子を有し、動画や静止画の表示が可能な第２のディスプレイである。
【００３５】
マイクは、スピーカー群から発せられる音響、および第１のシンク機器の第１のディスプレイまたは第２のシンク機器の第２のディスプレイに表示される映像に合わせて歌唱者が発声する音声を電気信号に変換するとともに、この電気信号を赤外線や電波に重畳させる。
【００３６】
マイクレシーバーは、赤外線や電波（マイクから発信）に重畳した電気信号を復調して増幅し、この増幅された音声信号を二系統、出力する。
【００３７】
第１のソース機器は、ネットワークを介してサーバから配信される多数の楽曲データーを格納する記憶装置を有し、楽曲演奏用のデジタル映像信号を出力するＨＤＭＩ出力端子と、マイクレシーバーが出力する音声信号（一系統側）を伴奏用の音響信号に重畳したアナログ音響信号を出力するライン出力端子とを有するカラオケコマンダーである。
【００３８】
第２のソース機器は、デジタル映像信号を出力するＨＤＭＩ出力端子と、アナログの音響信号を出力するライン出力端子とを有するパソコンである。
第３のソース機器は、デジタル映像信号を出力するＨＤＭＩ出力端子と、アナログの音響信号を出力するライン出力端子とを有する光ディスクプレーヤーである。
【００３９】
第４のソース機器は、携帯端末のＬｉｇｈｔｎｉｎｇ出力または携帯端末のＭＨＬ出力をＨＤＭＩ出力およびアナログ出力に変換するＨＤＭＩ変換器であり、デジタル映像信号を出力するＨＤＭＩ出力端子と、アナログの音響信号を出力するライン出力端子とを有する。
【００４０】
セレクターは、外部音声入力端子と、音声ミキサーと、第１のＨＤＭＩ入力端子および第１のライン入力端子と、第２のＨＤＭＩ入力端子および第２のライン入力端子と、第３のＨＤＭＩ入力端子および第３のライン入力端子と、第４のＨＤＭＩ入力端子および第４のライン入力端子と、第１、第２のＨＤＭＩ出力端子と、ライン出力端子と、切替手段を制御するマイクロコンピュターを有する入力切替装置とを備える。
【００４１】
外部音声入力端子には、マイクレシーバーが出力する音声信号（二系統側）が入力される。
請求項２の場合は、音声ミキサーは、外部音声入力端子から入力された音声信号の、レベルに加え音調も調整して出力部から調整済の音声信号を出力する。
【００４２】
第１のＨＤＭＩ入力端子には、カラオケコマンダーである第１のソース機器が出力するデジタル映像信号が入力される。第１のライン入力端子には、カラオケコマンダーである第１のソース機器が出力するアナログ音響信号が入力される。
【００４３】
第２のＨＤＭＩ入力端子には、パソコンである第２のソース機器が出力するデジタル映像信号が入力される。第２のライン入力端子には、パソコンである第２のソース機器が出力するアナログ音響信号が入力される。
【００４４】
第３のＨＤＭＩ入力端子には、光ディスクプレーヤーである第３のソース機器が出力するデジタル映像信号が入力される。第３のライン入力端子には、光ディスクプレーヤーである第３のソース機器が出力するアナログ音響信号が入力される。
【００４５】
第４のＨＤＭＩ入力端子には、ＨＤＭＩ変換器である第４のソース機器が出力する携帯端末のデジタル映像信号が入力される。第４のライン入力端子には、ＨＤＭＩ変換器である第４のソース機器が出力する携帯端末のアナログ音響信号が入力される。
【００４６】
セレクターは、四連動プッシュ式スイッチの各接点と接続ケーブルで電気接続されている。
四連動プッシュ式スイッチの第１押圧釦が押し込まれた位置では、セレクターの第１のＨＤＭＩ入力端子がセレクターのＨＤＭＩ出力端子へ電気的に接続され、セレクターの第１のライン入力端子がセレクターのライン出力端子へ電気的に接続される様に、入力切替装置のマイクロコンピュターが切替手段を制御する。  
【００４７】
四連動プッシュ式スイッチの第２押圧釦が押し込まれた位置では、セレクターの第２のＨＤＭＩ入力端子がセレクターのＨＤＭＩ出力端子へ電気的に接続され、セレクターの第２のライン入力端子および音声ミキサーの出力部がセレクターのライン出力端子へ電気的に接続される（第２のライン入力端子に入力されるパソコンが出力するアナログの音響信号と、音声ミキサーで調整済の音声信号とを重畳した信号がライン出力端子へ出力される）様に切替手段を制御する。
【００４８】
四連動プッシュ式スイッチの第３押圧釦が押し込まれた位置では、セレクターの第３のＨＤＭＩ入力端子がセレクターのＨＤＭＩ出力端子へ電気的に接続され、セレクターの第３のライン入力端子および音声ミキサーの出力部がセレクターのライン出力端子へ電気的に接続される（第３のライン入力端子に入力される光ディスクプレーヤーが出力するアナログの音響信号と、音声ミキサーで調整済の音声信号とを重畳した信号がライン出力端子へ出力される）様に切替手段を制御する。
【００４９】
四連動プッシュ式スイッチの第４押圧釦が押し込まれた位置では、セレクターの第４のＨＤＭＩ入力端子がセレクターのＨＤＭＩ出力端子へ電気的に接続され、セレクターの第４のライン入力端子および音声ミキサーの出力部がセレクターのライン出力端子へ電気的に接続される（第４のライン入力端子に入力されるアナログの音響信号と、音声ミキサーで調整済の音声信号とを重畳した信号がライン出力端子へ出力される）様に切替手段を制御する。
【００５０】
四本の入力側のＨＤＭＩケーブルは、各々、第１〜第４のソース機器の各ＨＤＭＩ出力端子とセレクターの第１〜第４のＨＤＭＩ入力端子とを接続するものである。
二本の出力側のＨＤＭＩケーブルは、セレクタの第１、第２のＨＤＭＩ出力端子と、第１、第２のディスプレイである第１、第２のシンク機器の各ＨＤＭＩ入力端子とを接続するものである。
【００５１】
四本の入力側のＲＣＡケーブルは、各々、第１〜第４のソース機器の各ライン出力端子とセレクターの第１〜第４のライン入力端子とを接続するものである。
出力側のＲＣＡケーブルは、セレクターのライン出力端子とアンプのライン入力端子とを接続するものである。
【００５２】
請求項２のカラオケ機器切替装置は、下記の利点を有する。
カラオケ店に来店した歌唱者または同伴者が、四連動プッシュ式スイッチの第１押圧釦〜第４押圧釦の何れかを押圧して押し込めば、四種類のソース機器（カラオケコマンダー、光ディスクプレーヤー、パソコン、携帯端末）を簡単に切り替えることができる。
【００５３】
なお、四連動プッシュ式スイッチは、単投形で、第１押圧釦〜第４押圧釦のどれかを押込操作する（電気接点が閉になる）と、他の押圧釦が初期位置（電気接点が開状態）に復帰する構造であるので、現在、どの押圧釦が押込操作されているか、一目で判る、このため、歌唱者および同伴者は、現在、どのソース機器（カラオケコマンダー、光ディスクプレーヤー、パソコン、携帯端末）が利用できるのか容易に判別できる。
【００５４】
四連動プッシュ式スイッチを切り替えることにより、ケーブルを繋ぎ替えることなく、カラオケコマンダー以外に、光ディスクプレーヤー、パソコン、または携帯端末と言ったソース機器が、音響装置および第１、第２シンク機器（第１のディスプレイ、第２のディスプレイ）に電気的に接続される。
このため、カラオケ店に来店した歌唱者および同伴者は、楽曲の伴奏データが入った私有の光ディスクを持ち込んで光ディスクプレーヤーで再生したり、備え付けのパソコンや、私有の携帯端末を使ってインターネットから楽曲の伴奏データを取り込んで利用することができる。また、カラオケ以外のコンテンツ（ビデオゲーム、映画鑑賞、テレビの試聴）を手軽に楽しむことができる。
【００５５】
カラオケコマンダー以外のソース機器を使う場合も、同じマイクを使って歌唱することができるので、カラオケ機器切替装置は、使い勝手が良い。なお、外部音声入力端子から入力されたマイクレシーバーの音声信号のレベルと音調を音声ミキサーで調整できるので快適に歌唱することができる。
【００５６】
マイクレシーバーが音声信号を二系統出力し、一系統側の音声信号をカラオケコマンダーに入力しているので、カラオケコマンダーの採点機能が損なわれない。
【００５７】
各ソース機器（カラオケコマンダー、光ディスクプレーヤー、パソコン、携帯端末）の各ＨＤＭＩ出力端子に接続されるセレクターの第１〜第４のＨＤＭＩ入力端子と、セレクターのＨＤＭＩ出力端子との電気接続を切替手段が完全に切り替えているのに加え、各ソース機器のライン出力端子に接続されるセレクターの第１〜第４のライン入力端子と、アンプのライン入力端子との電気接続を切替手段が完全に切り替えているので、四連動プッシュ式スイッチのどれかの押圧釦を押込操作してソース機器を切り替える際に、ソース機器間の干渉が防止できる。
【００５８】
セレクターから出力されるデジタル映像信号を、ＨＤＭＩスプリッターにより二分配して、第１のＨＤＭＩ出力端子および第２のＨＤＭＩ出力端子へ出力しているので、第１、第２のディスプレイ（第１、第２のシンク機器）に同じ動画や静止画を表示させることができる。なお、第１のディスプレイ（小さい）を歌唱者の近くに臨ませて歌唱者用、第２のディスプレイ（大きい）を壁に臨ませて同伴者用にすることができる。
【図面の簡単な説明】
【００５９】
【図１】本発明の実施例１に係るカラオケ機器切替装置のブロック図である。
【図２】本発明の実施例２に係るカラオケ機器切替装置のブロック図である。
【図３】実施例１、２のカラオケ機器切替装置に用いるＨＤＭＩ入力・出力端子およびＨＤＭＩケーブルの説明図である。
【図４】実施例１、２のカラオケ機器切替装置に用いるライン入力・出力端子およびＲＣＡケーブルの説明図である。
【発明を実施するための形態】
【００６０】
カラオケ機器切替装置は、四種類のソース機器を接続するための第１〜第４のＨＤＭＩ入力端子および第１〜第４のライン入力端子と、モニターに接続するためのＨＤＭＩ出力端子、アンプに接続するためのライン出力端子を有するセレクターと、セレクターと接続ケーブルで電気接続される四連動プッシュ式スイッチとを備え、何れかの押圧釦を押し込むと、入力切替装置のマイクロコンピュターが切替手段を制御して、該当するＨＤＭＩ入力端子およびライン入力端子を、ＨＤＭＩ出力端子およびライン出力端子に電気的に接続する。
【００６１】
カラオケ店に来店した歌唱者または同伴者が、四連動プッシュ式スイッチの何れかの押圧釦を押し込むと、ケーブルを繋ぎ替えることなく、選択したソース機器がシンク機器（モニター）およびアンプに接続される。
このため、カラオケコマンダー以外に、他のソース機器（光ディスクプレーヤー、パソコン、携帯端末）から取得できる楽曲データが利用できる。また、カラオケ以外のコンテンツを手軽に楽しむことができる
【実施例１】
【００６２】
本発明の実施例１に係るカラオケ機器切替装置Ａ（請求項１に対応）を図１に基づいて説明する。
図１に示すカラオケ機器切替装置Ａは、四連動プッシュ式スイッチ１と、音響装置２と、シンク機器Ｃと、マイクＭと、マイクレシーバー３と、第１〜第４のソース機器４１〜４４と、セレクター５と、入力側のＨＤＭＩケーブル６１〜６４と、出力側のＨＤＭＩケーブル６５と、入力側のＲＣＡケーブル７１〜７４と、出力側のＲＣＡケーブル７５とを備える。
【００６３】
四連動プッシュ式スイッチ１は、第１〜第４押圧釦１１〜１４の内の任意の押圧釦の押込操作により他の押圧釦を初期位置に復帰させて各電気接点を開閉する単極単投形の連動式の押しボタンスイッチである。
【００６４】
音響装置２は、スピーカー２１、…２１群と、ライン入力端子２２（ＲＣＡ端子  Ｒ／Ｌ）を有するアンプ２３で構成されている。
【００６５】
シンク機器Ｃは、ＨＤＭＩ入力端子ｃを有し、動画や静止画の表示が可能な大形のプラズマディスプレイである。
【００６６】
マイクＭは、赤外線発光部をグリップｇに設けた赤外線伝送方式のコンデンサマイクである。
このマイクＭは、スピーカー２１、…２１群から発せられる音響およびプラズマディスプレイに表示される映像に合わせて歌唱者が発声する音声を電気信号に変換し、この電気信号を赤外線ｍに重畳させてマイクレシーバー３へ向けて発信する。
【００６７】
マイクレシーバー３は、マイクＭから発信された赤外線ｍに重畳された電気信号を復調して増幅し、この増幅された音声信号を、ライン出力端子３１、３２から出力（二系統）する。
【００６８】
カラオケコマンダーである第１のソース機器４１は、ネットワークを介してサーバから配信される多数の楽曲データーを格納するＨＤＤ（記憶装置）を有する。
この第１のソース機器４１は、楽曲演奏用のデジタル映像信号を出力するＨＤＭＩ出力端子４１ａと、マイクレシーバー３が出力する音声信号を伴奏用の音響信号に重畳したアナログ音響信号を出力するライン出力端子４１ｂと、ライン入力端子４１ｃとを有する。  なお、第１のソース機器４１のライン入力端子４１ｃは、マイクレシーバー３のライン出力端子３１にＲＣＡケーブルにより接続される。
【００６９】
パソコンである第２のソース機器４２は、デジタル映像信号を出力するＨＤＭＩ出力端子４２ａと、アナログの音響信号を出力するライン出力端子４２ｂとを有する。
このパソコンは、カラオケ店のカラオケルームに常設のディスクトップパソコンであり、インターネット接続が可能である。
【００７０】
ブルーレイ・ディスク（Blu-ray Disc;登録商標）プレーヤーである第３のソース機器４３は、BD-VideoやDVD -Videoの再生が可能な再生専用の映像機器であり、歌唱者や同伴者がカラオケルーム内へ持ち込んだ、BD-VideoやDVD -Videoの再生が可能である。
この第３のソース機器４３は、デジタル映像信号を出力するＨＤＭＩ出力端子４３ａと、アナログの音響信号を出力するライン出力端子４３ｂとを有する。
【００７１】
ＨＤＭＩ変換器である第４のソース機器４４は、入力端子４４ｃから入力されるＬｉｇｈｔｎｉｎｇ出力（アイフォン系）またはＭＨＬ出力（アンドロイド系）をＨＤＭＩ出力に変換し、デジタル映像信号を出力するＨＤＭＩ出力端子４４ａと、アナログの音響信号を出力するライン出力端子４４ｂとを有する。
なお、携帯端末Ｋの接続ポートｋ（Ｌｉｇｈｔｎｉｎｇタイプ、ＭＨＬタイプ）と、ソース機器４４の入力端子４４ｃとは、接続ケーブル（二種類）により接続される。
【００７２】
また、歌唱者や同伴者がカラオケルーム内へ持ち込んだノートパソコンが、ＨＤＭＩ出力端子とライン出力端子とを備えている場合には、ＨＤＭＩ変換器である（第４のソース機器４４）を介さず、ＨＤＭＩケーブル６４およびＲＣＡケーブル７４を、直接、ノートパソコンのＨＤＭＩ出力端子およびライン出力端子へ繋ぐ。
【００７３】
セレクター５は、外部音声入力端子５１０と、音声ミキサー５１１と、第１のＨＤＭＩ入力端子５２１および第１のライン入力端子５２２と、第２のＨＤＭＩ入力端子５３１および第２のライン入力端子５３２と、第３のＨＤＭＩ入力端子５４１および第３のライン入力端子５４２と、第４のＨＤＭＩ入力端子５５１および第４のライン入力端子５５２と、ＨＤＭＩ出力端子５６１およびライン出力端子５６２と、切替手段５７１を制御するマイクロコンピュター５７０を有する入力切替装置５７とを備える。
【００７４】
第１〜第４のＨＤＭＩ入力端子５２１、５３１、５４１、５５１およびＨＤＭＩ出力端子５６１は、下記に示す１９ピンの標準タイプのタイプＡである（図３参照）。
１＃  ＴＭＤＳ  Ｄａｔａ２＋
２＃  ＴＭＤＳ  Ｄａｔａ２シールド
３＃  ＴＭＤＳ  Ｄａｔａ２＋
４＃  ＴＭＤＳ  Ｄａｔａ１＋
５＃  ＴＭＤＳ  Ｄａｔａ１シールド
６＃  ＴＭＤＳ  Ｄａｔａ１−
７＃  ＴＭＤＳ  Ｄａｔａ０＋
８＃  ＴＭＤＳ  Ｄａｔａ０シールド
９＃  ＴＭＤＳ  Ｄａｔａ０−
１０＃  ＴＭＤＳ  Ｃｌｏｃｋ＋
１１＃  ＴＭＤＳ  Ｃｌｏｃｋシールド
１２＃  ＴＭＤＳ  Ｃｌｏｃｋ−
１３＃  ＣＥＣ
１４＃  Ｕｔｉｌｉｔｙ、ＨＥＡＣ＋
１５＃  ＳＣＬ
１６＃  ＳＤＡ
１７＃  ＤＤＣ、ＣＥＣグランド、ＨＥＡＣシールド
１８＃  ＋５Ｖ
１９＃  ＨＰＤ、ＨＥＡＣ−
【００７５】
第１〜第４のライン入力端子５２２、５３２、５４２、５５２およびライン出力端子５６２は、音響信号の右チャンネルＲ／左チャンネルＬのＲＣＡピン端子である。
なお、外部音声入力端子５１０も同様のＲＣＡピン端子である（図４参照）。
【００７６】
外部音声入力端子５１０には、マイクレシーバー３のライン出力端子３２から出力（二系統側）される音声信号がＲＣＡケーブル７０を介して入力される。
音声ミキサー５１１は、外部音声入力端子５１０から入力された音声信号のレベルを調整して出力部５１２から調整済の音声信号を出力する。
【００７７】
第１のＨＤＭＩ入力端子５２１には、ＨＤＭＩケーブル６１が接続され、カラオケコマンダーである第１のソース機器４１が出力するデジタル映像信号が入力される。
第１のライン入力端子５２２には、ＲＣＡケーブル７１が接続され、カラオケコマンダーである第１のソース機器４１が出力する音声信号が入力される。
【００７８】
第２のＨＤＭＩ入力端子５３１には、ＨＤＭＩケーブル６２が接続され、パソコンである第２のソース機器４２が出力するデジタル映像信号が入力される。
第２のライン入力端子５３２には、ＲＣＡケーブル７２が接続され、パソコンである第２のソース機器４２が出力するアナログ音響信号が入力される。
【００７９】
第３のＨＤＭＩ入力端子５４１には、ＨＤＭＩケーブル６３が接続され、光ディスクプレーヤーである第３のソース機器４３が出力するデジタル映像信号が入力される。
第３のライン入力端子５４２には、ＲＣＡケーブル７３が接続され、光ディスクプレーヤーである第３のソース機器４３が出力するアナログ音響信号が入力される。
【００８０】
第４のＨＤＭＩ入力端子５５１には、ＨＤＭＩケーブル６４が接続され、ＨＤＭＩ変換器である第４のソース機器４４が出力するデジタル映像信号が入力される。
第４のライン入力端子５５２には、ＲＣＡケーブル７４が接続され、ＨＤＭＩ変換器である第４のソース機器４４が出力するアナログ音響信号が入力される。
【００８１】
セレクター５のＩ／Ｏインターフェイス５７２は、四連動プッシュ式スイッチ１の各接点と接続ケーブル５０により電気接続され、各接点の開閉状態をＬｏ／Ｈｉ出力に変換する。
マイクロコンピュター５７０は、Ｉ／Ｏインターフェイス５７２が出力する、接点毎のＬｏ／Ｈｉ出力に基づいて第１〜第４押圧釦１１〜１４に係る接点の状態を把握し、下記の様に切替手段５７１を制御する。
【００８２】
切替手段５７１は、本実施例では、トランジスタやＦＥＴ等の半導体を用いた１９回路４接点の電子スイッチであり、ＨＤＭＩ入・出力端子の１９ピンの接続を全て切り替えている。なお、電子スイッチ以外に、複数のリレーやロータリースイッチ（モーター駆動、ソレノイド駆動）等の機械式のスイッチであっても良い。
【００８３】
四連動プッシュ式スイッチ１の第１押圧釦１１が押し込まれた位置では、セレクター５の第１のＨＤＭＩ入力端子５２１の＃１ピン〜＃１９ピンがセレクター５のＨＤＭＩ出力端子５６１の＃１ピン〜＃１９ピンへ電気的に接続され、セレクター５の第１のライン入力端子５２２のＬ・Ｒピンがセレクター５のライン出力端子５６２のＬ・Ｒピンへ電気的に接続される様に切替手段５７１を制御する。  
【００８４】
四連動プッシュ式スイッチ１の第２押圧釦１２が押し込まれた位置では、セレクター５の第２のＨＤＭＩ入力端子５３１の＃１ピン〜＃１９ピンがセレクター５のＨＤＭＩ出力端子５６１の＃１ピン〜＃１９ピンへ電気的に接続され、第２のライン入力端子５３２から出力されるパソコン４２の音響信号と、音声ミキサー５１１の出力部５１２から出力される調整済のマイクＭの音声信号とが入力側へ入力される信号重畳回路ｊ１の出力側がセレクター５のライン出力端子５６２のＬ・Ｒピンへ電気的に接続される様に切替手段５７１を制御する。これにより、パソコンである第２のソース機器４２の音響信号と、マイクＭの調整済の音声信号とが重畳された信号がセレクター５のライン出力端子５６２から出力される。
【００８５】
四連動プッシュ式スイッチ１の第３押圧釦１３が押し込まれた位置では、セレクター５の第３のＨＤＭＩ入力端子５４１の＃１ピン〜＃１９ピンがセレクター５のＨＤＭＩ出力端子５６１の＃１ピン〜＃１９ピンへ電気的に接続され、第３のライン入力端子５４２から出力されるブルーレイ・ディスクプレーヤーである第３のソース機器４３の音響信号と、音声ミキサー５１１の出力部５１２から出力される調整済のマイクＭの音声信号とが入力側へ入力される信号重畳回路ｊ２の出力側がセレクター５のライン出力端子５６２のＬ・Ｒピンへ電気的に接続される様に切替手段５７１を制御する。これにより、ブルーレイ・ディスクプレーヤーである第３のソース機器４３の音響信号と、マイクＭの調整済の音声信号とが重畳された信号がセレクター５のライン出力端子５６２から出力される。
【００８６】
四連動プッシュ式スイッチ１の第３押圧釦１４が押し込まれた位置では、セレクター５の第４のＨＤＭＩ入力端子５５１の＃１ピン〜＃１９ピンがセレクター５のＨＤＭＩ出力端子５６１の＃１ピン〜＃１９ピンへ電気的に接続され、第４のライン入力端子５５２から出力される携帯端末Ｋの音響信号と、音声ミキサー５１１の出力部５１２から出力される調整済のマイクＭの音声信号とが入力側へ入力される信号重畳回路ｊ３の出力側がセレクター５のライン出力端子５６２のＬ・Ｒピンへ電気的に接続される様に切替手段５７１を制御する。これにより、携帯端末Ｋの音響信号と、マイクＭの調整済の音声信号とが重畳された信号がセレクター５のライン出力端子５６２から出力される。
【００８７】
入力側のＨＤＭＩケーブル６１は、カラオケコマンダーである第１のソース機器４１が楽曲演奏用のデジタル映像信号を出力するＨＤＭＩ出力端子４１ａと、セレクター５の第１のＨＤＭＩ入力端子５２１とを電気接続するケーブルである。
【００８８】
入力側のＨＤＭＩケーブル６２は、パソコンである第２のソース機器４２がデジタル映像信号を出力するＨＤＭＩ出力端子４２ａと、セレクター５の第２のＨＤＭＩ入力端子５３１とを電気接続するケーブルである。
【００８９】
入力側のＨＤＭＩケーブル６３は、ブルーレイ・ディスクプレーヤーである第３のソース機器４３がデジタル映像信号を出力するＨＤＭＩ出力端子４３ａと、セレクター５の第３のＨＤＭＩ入力端子５４１とを電気接続するケーブルである。
【００９０】
入力側のＨＤＭＩケーブル６４は、ＨＤＭＩ変換器である第４のソース機器４４が携帯端末Ｋのデジタル映像信号を出力するＨＤＭＩ出力端子４４ａと、セレクター５の第４のＨＤＭＩ入力端子５５１とを電気接続するケーブルである。
【００９１】
出力側のＨＤＭＩケーブル６５は、セレクター５のＨＤＭＩ出力端子５６１と、大形のプラズマディスプレイであるシンク機器ＣのＨＤＭＩ入力端子ｃとを電気接続するケーブルである。
【００９２】
入力側のＲＣＡケーブル７１は、マイクレシーバー３が出力する音声信号を伴奏用の音響信号に重畳したアナログ音響信号を出力する第１のソース機器４１のライン出力端子４１ｂと、セレクター５の第１のライン入力端子５２２とを電気接続するケーブルである。
【００９３】
入力側のＲＣＡケーブル７２は、パソコンである第２のソース機器４２がアナログ音響信号を出力するライン出力端子４２ｂと、セレクター５の第２のライン入力端子５３２とを電気接続するケーブルである。
【００９４】
入力側のＲＣＡケーブル７３は、ブルーレイ・ディスクプレーヤーである第３のソース機器４３がアナログ音響信号を出力するライン出力端子４３ｂと、セレクター５の第３のライン入力端子５４２とを電気接続するケーブルである。
【００９５】
入力側のＲＣＡケーブル７４は、ＨＤＭＩ変換器である第４のソース機器４４がアナログ音響信号を出力するライン出力端子４４ｂと、セレクター５の第４のライン入力端子５５２とを電気接続するケーブルである。
【００９６】
出力側のＲＣＡケーブル７５は、セレクター５のライン出力端子５６２と、アンプ２３のライン入力端子２２とを電気接続するケーブルである。
【００９７】
実施例１のカラオケ機器切替装置Ａは、下記の利点を有する。
カラオケ店に来店した歌唱者または同伴者が、四連動プッシュ式スイッチ１の第１押圧釦〜第４押圧釦の何れかを押圧して押し込めば、四種類のソース機器（具体的には、カラオケコマンダー、ブルーレイ・ディスクプレーヤー、パソコン、携帯端末）を簡単に切り替えることができる。
【００９８】
なお、四連動プッシュ式スイッチ１は、単投形で、第１〜第４押圧釦１１、１２、１３、１４のどれかを押込操作する（電気接点が閉になる）と、他の押圧釦が初期位置（電気接点が開状態）に復帰する構造であるので、現在、どの押圧釦が押込操作されているか、歌唱者または同伴者が見れば一目で判る、このため、歌唱者および同伴者は、現在、どのソース機器が利用できるのか容易に判別できる。
【００９９】
四連動プッシュ式スイッチ１を切り替えることにより、ケーブルを繋ぎ替えることなく、カラオケコマンダー以外に、ブルーレイ・ディスクプレーヤー、パソコン、または携帯端末が、音響装置２およびシンク機器Ｃ（大形のプラズマディプレイ）へ電気的に接続される。
このため、カラオケ店に来店した歌唱者および同伴者は、楽曲の伴奏データが入った私有の光ディスクを持ち込んで光ディスクプレーヤーで再生したり、備え付けのパソコンや、私有の携帯端末Ｋを使ってインターネットから楽曲の伴奏データを取り込んで利用することができる。また、カラオケ以外のコンテンツ（ビデオゲーム、映画鑑賞、テレビの試聴）を、音響装置２およびシンク機器Ｃにより、大迫力で、手軽に楽しむことができる。
【０１００】
カラオケコマンダー以外のソース機器を使う場合も、同じマイクＭを使って歌唱することができるので、カラオケ機器切替装置Ａは、使い勝手が良い。なお、外部音声入力端子５１０から入力されたマイクレシーバー３の音声信号のレベルを音声ミキサー５１１で調整できるので快適に歌唱することができる。
【０１０１】
マイクレシーバー３が出力する音声信号を二系統とし、一系統側の音声信号を第１のソース機器４１であるカラオケコマンダーに入力しているので、カラオケコマンダーの採点機能が損なわれない。
【０１０２】
各ソース機器（カラオケコマンダー、光ディスクプレーヤー、パソコン、携帯端末）の各ＨＤＭＩ出力端子に接続されるセレクター５の第１〜第４のＨＤＭＩ入力端子５２１、５３１、５４１、５５１と、シンク機器Ｃ（大形プラズマディスプレイ）のＨＤＭＩ入力端子ｃにＨＤＭＩケーブル６５で接続されるセレクター５のＨＤＭＩ出力端子５６１との電気接続を切替手段５７１が完全に切り替えているのに加え、各ソース機器のライン出力端子４１ｂ、４２ｂ、４３ｂ、４４ｂに接続されるセレクターの第１〜第４のライン入力端子５２２、５３２、５４２、５５２と、アンプ２３のライン入力端子２２との電気接続を切替手段５７１が完全に切り替えているので、四連動プッシュ式スイッチ１のどれかの押圧釦を押込操作してソース機器を切り替える際に、ソース機器間の干渉が防止できる。
【実施例２】
【０１０３】
本発明の実施例２に係るカラオケ機器切替装置Ｂ（請求項２に対応）を図２に基づいて説明する。
図２に示すカラオケ機器切替装置Ｂは、四連動プッシュ式スイッチ１と、音響装置２と、シンク機器Ｃ、Ｄと、マイクＭと、マイクレシーバー３と、第１〜第４のソース機器４１〜４４と、セレクター５と、入力側のＨＤＭＩケーブル６１〜６４と、出力側のＨＤＭＩケーブル６５、６６と、入力側のＲＣＡケーブル７１〜７４と、出力側のＲＣＡケーブル７５とを備える。
【０１０４】
四連動プッシュ式スイッチ１および音響装置２は、実施例１と同じものである。
シンク機器Ｃは、実施例１と同じものであり、ＨＤＭＩ入力端子ｃを有し、動画や静止画の表示が可能な大形のプラズマディスプレイである。このシンク機器Ｃは、同伴者が見るためのものである。
【０１０５】
シンク機器Ｄは、ＨＤＭＩ入力端子ｄを有し、動画や静止画の表示が可能な小形のプラズマディスプレイである。このシンク機器Ｄは、歌唱者が見るためのものである。
マイクＭ、マイクレシーバー３、第１のソース機器４１、第２のソース機器４２、第２のソース機器４２、第３のソース機器４３、第４のソース機器４４は、実施例１と同じものである。
【０１０６】
セレクター５は、外部音声入力端子５１０と、音声ミキサー５１１と、第１のＨＤＭＩ入力端子５２１および第１のライン入力端子５２２と、第２のＨＤＭＩ入力端子５３１および第２のライン入力端子５３２と、第３のＨＤＭＩ入力端子５４１および第３のライン入力端子５４２と、第４のＨＤＭＩ入力端子５５１および第４のライン入力端子５５２と、第１のＨＤＭＩ出力端子５６３と、第２のＨＤＭＩ出力端子５６４と、ライン出力端子５６２と、切替手段５７１を制御するマイクロコンピュター５７０を有する入力切替装置５７とを備える。
【０１０７】
第１〜第４のＨＤＭＩ入力端子５２１、５３１、５４１、５５１は、実施例１と同じ１９ピンの標準タイプ（タイプＡ）である。
第１のＨＤＭＩ出力端子５６３は、１９ピンの標準タイプ（タイプＡ）であり、ＨＤＭＩスプリッター５８の一方側出力が加えられる。
第２のＨＤＭＩ出力端子５６４は、１９ピンの標準タイプのタイプＡであり、ＨＤＭＩスプリッター５８の他方側出力が加えられる（図３参照）。
【０１０８】
第１〜第４のライン入力端子５２２、５３２、５４２、５５２、ライン出力端子５６２、外部音声入力端子５１０、および外部音声入力端子５１０は、実施例１と同じものである。
音声ミキサー５１１は、本実施例では、外部音声入力端子５１０から入力された音声信号のレベルと音調を調整して出力部５１２から調整済の音声信号を出力する。
【０１０９】
第１のＨＤＭＩ入力端子５２１、第２のＨＤＭＩ入力端子５３１、第３のＨＤＭＩ入力端子５４１、第４のＨＤＭＩ入力端子５５１には、それぞれ、実施例１と同じＨＤＭＩケーブル６１、６２、８３、６４が接続される。
第１のライン入力端子５２２、第２のライン入力端子５３２、第３のライン入力端子５４２、第４のライン入力端子５５２には、それぞれ、実施例１と同じＲＣＡケーブル７１、７２、７３、７４が接続される。
【０１１０】
セレクター５のＩ／Ｏインターフェイス５７２は、実施例１と同じものであり、四連動プッシュ式スイッチ１の各接点と接続ケーブル５０により電気接続され、各接点の開閉状態をＬｏ／Ｈｉ出力に変換する。
マイクロコンピュター５７０は、実施例１と同じものであり、Ｉ／Ｏインターフェイス５７２が出力する、接点毎のＬｏ／Ｈｉ出力に基づいて第１〜第４押圧釦１１〜１４に係る接点の状態を把握し、下記の様に切替手段５７１を制御する。
【０１１１】
切替手段５７１は、本実施例でも、トランジスタやＦＥＴ等の半導体を用いた１９回路４接点の電子スイッチであり、ＨＤＭＩ入・出力端子の１９ピンの接続を全て切り替えている。なお、電子スイッチ以外に、複数のリレーやロータリースイッチ（モーター駆動、ソレノイド駆動）等の機械式のスイッチであっても良い。
【０１１２】
四連動プッシュ式スイッチ１の第１押圧釦１１が押し込まれた位置では、セレクター５の第１のＨＤＭＩ入力端子５２１がＨＤＭＩスプリッター５８の入力部５８１へ電気的に接続され、セレクター５の第１のライン入力端子５２２のＬ・Ｒピンがセレクター５のライン出力端子５６２のＬ・Ｒピンへ電気的に接続される様に切替手段５７１を制御する。  
【０１１３】
四連動プッシュ式スイッチ１の第２押圧釦１２が押し込まれた位置では、セレクター５の第２のＨＤＭＩ入力端子５３１がＨＤＭＩスプリッター５８の入力部５８１へ電気的に接続され、セレクター５の第２のライン入力端子５３２から出力されるパソコン４２の音響信号と、音声ミキサー５１１の出力部５１２から出力される調整済のマイクＭの音声信号とが入力側へ入力される信号重畳回路ｊ１の出力側がセレクター５のライン出力端子５６２のＬ・Ｒピンへ電気的に接続される様に切替手段５７１を制御する。これにより、パソコンである第２のソース機器４２の音響信号と、マイクＭの調整済の音声信号とが重畳された信号がセレクター５のライン出力端子５６２から出力される。
【０１１４】
四連動プッシュ式スイッチ１の第３押圧釦１３が押し込まれた位置では、セレクター５の第３のＨＤＭＩ入力端子５４１がＨＤＭＩスプリッター５８の入力部５８１へ電気的に接続され、セレクター５の第３のライン入力端子５４２から出力されるブルーレイ・ディスクプレーヤーである第３のソース機器４３の音響信号と、音声ミキサー５１１の出力部５１２から出力される調整済のマイクＭの音声信号とが入力側へ入力される信号重畳回路ｊ２の出力側がセレクター５のライン出力端子５６２のＬ・Ｒピンへ電気的に接続される様に切替手段５７１を制御する。これにより、ブルーレイ・ディスクプレーヤーである第３のソース機器４３の音響信号と、マイクＭの調整済の音声信号とが重畳された信号がセレクター５のライン出力端子５６２から出力される。
【０１１５】
四連動プッシュ式スイッチ１の第４押圧釦１４が押し込まれた位置では、セレクター５の第４のＨＤＭＩ入力端子５５１がＨＤＭＩスプリッター５８の入力部５８１へ電気的に接続され、セレクター５の第４のライン入力端子５５２から出力されるＨＤＭＩ変換器４４である第４のソース機器４４の音響信号と、音声ミキサー５１１の出力部５１２から出力される調整済のマイクＭの音声信号とが入力側へ入力される信号重畳回路ｊ３の出力側がセレクター５のライン出力端子５６２のＬ・Ｒピンへ電気的に接続される様に切替手段５７１を制御する。これにより、ＨＤＭＩ変換器４４である第４のソース機器４４から出力される携帯端末Ｋの音響信号と、マイクＭの調整済の音声信号とが重畳された信号がセレクター５のライン出力端子５６２から出力される。
【０１１６】
入力側のＨＤＭＩケーブル６１、６２、６３、６４は、第１実施例と同じケーブルである。
出力側のＨＤＭＩケーブル６５は、セレクター５の第１のＨＤＭＩ出力端子５６３と、大形のプラズマディスプレイであるシンク機器ＣのＨＤＭＩ入力端子ｃとを電気接続するケーブルである。
【０１１７】
出力側のＨＤＭＩケーブル６６は、セレクター５の第２のＨＤＭＩ出力端子５６４と、小形のプラズマディスプレイであるシンク機器ＤのＨＤＭＩ入力端子ｄとを電気接続するケーブルである。
入力側のＲＣＡケーブル７１、７２、７３、７４は、第１実施例と同じケーブルであり、出力側のＲＣＡケーブル７５も、第１実施例と同じケーブルである。
【０１１８】
実施例２のカラオケ機器切替装置Ｂは、下記の利点を有する。
カラオケ店に来店した歌唱者または同伴者が、四連動プッシュ式スイッチ１の第１押圧釦〜第４押圧釦の何れかを押圧して押し込めば、第１実施例のカラオケ機器切替装置Ａと同様に、四種類のソース機器（具体的には、カラオケコマンダー、ブルーレイ・ディスクプレーヤー、パソコン、携帯端末）を簡単に切り替えることができる。
【０１１９】
なお、四連動プッシュ式スイッチ１は、単投形で、第１〜第４押圧釦１１、１２、１３、１４のどれかを押込操作する（電気接点が閉になる）と、他の押圧釦が初期位置（電気接点が開状態）に復帰する構造であるので、第１実施例のカラオケ機器切替装置Ａと同様に、現在、どの押圧釦が押込操作されているか、歌唱者または同伴者が見れば一目で判る、このため、歌唱者および同伴者は、現在、どのソース機器が利用できるのか容易に判別できる。
【０１２０】
四連動プッシュ式スイッチ１を切り替えることにより、ケーブルを繋ぎ替えることなく、カラオケコマンダー以外に、ブルーレイ・ディスクプレーヤー、パソコン、または携帯端末が、音響装置２およびシンク機器Ｃ、Ｄ（大形・小形のプラズマディスプレイ）へ電気的に接続される。
このため、カラオケ店に来店した歌唱者および同伴者は、楽曲の伴奏データが入った私有の光ディスクを持ち込んで光ディスクプレーヤーで再生したり、備え付けのパソコンや、私有の携帯端末Ｋを使ってインターネットから楽曲の伴奏データを取り込んで利用することができる。また、カラオケ以外のコンテンツ（ビデオゲーム、映画鑑賞、テレビの試聴）を、音響装置２およびシンク機器Ｃ、Ｄにより、大迫力で、手軽に楽しむことができる。
【０１２１】
カラオケコマンダー以外のソース機器を使う場合も、第１実施例のカラオケ機器切替装置Ａと同様に、同じマイクＭを使って歌唱することができるので、カラオケ機器切替装置Ａは、使い勝手が良い。
なお、外部音声入力端子５１０から入力されたマイクレシーバー３の音声信号のレベルと音調を音声ミキサー５１１で調整できるので快適に歌唱することができる。
【０１２２】
第１実施例のカラオケ機器切替装置Ａと同様に、マイクレシーバー３が出力する音声信号を二系統とし、一系統側の音声信号を第１のソース機器４１であるカラオケコマンダーに入力しているので、カラオケコマンダーの採点機能が損なわれない。
【０１２３】
第１実施例のカラオケ機器切替装置Ａと同様に、各ソース機器（カラオケコマンダー、光ディスクプレーヤー、パソコン、携帯端末）の各ＨＤＭＩ出力端子に接続されるセレクター５の第１〜第４のＨＤＭＩ入力端子５２１、５３１、５４１、５５１と、ＨＤＭＩスプリッター５８の入力部５８１との電気接続を切替手段５７１が完全に切り替えているのに加え、各ソース機器のライン出力端子４１ｂ、４２ｂ、４３ｂ、４４ｂに接続されるセレクターの第１〜第４のライン入力端子５２２、５３２、５４２、５５２と、アンプ２３のライン入力端子２２との電気接続を切替手段５７１が完全に切り替えているので、四連動プッシュ式スイッチ１のどれかの押圧釦を押込操作してソース機器を切り替える際に、ソース機器間の干渉が防止できる。
【０１２４】
セレクター５から出力されるデジタル映像信号を、ＨＤＭＩスプリッター５８により二分配して、第１のＨＤＭＩ出力端子５８３および第２のＨＤＭＩ出力端子５６４へ出力しているので、第１、第２のディスプレイ（第１、第２のシンク機器Ｃ、Ｄ）に同じ動画や静止画を表示させることができる。なお、第１のディスプレイ（小さい）を歌唱者の近くに臨ませて歌唱者用、第２のディスプレイ（大きい）を壁に臨ませて同伴者用にすることができる。
【０１２５】
＜変形例＞
ａ．実施例１、２において、カラオケ以外のコンテンツの利用は、ビデオゲーム、映画鑑賞、テレビの試聴以外に、カラオケルームからのライブ配信、仲間達によるスポーツ観戦、遠隔先とのゲーム対戦などであっても良い。
【０１２６】
ｂ．実施例１、２において、他のソース機器（光ディスクプレーヤー、パソコン、携帯端末）から取得できる楽曲データは、カラオケコマンダーに入っていない、国内外の楽曲であっても良い。
【０１２７】
ｃ．実施例１、２において、ディスプレイポートからビデオ信号を出力するタイプのパソコンの場合は、ＨＤＭＩ出力への変換手段（変換器や変換ケーブル）が必要である。
【０１２８】
ｄ．実施例１、２において、携帯端末は、タブレット形のパソコンやノートパソコンであっても良い。
【０１２９】
ｅ．実施例１、２において、マイクＭは、搬送波を音声信号で変調した電波を使うものであっても良く、ダイナミックマイクであっても良い。
【０１３０】
ｆ．実施例１、２において、カラオケコマンダーの記憶装置は、ＨＤＤ以外にＳＳＤであっても良い。
【０１３１】
ｇ．各実施例において、シンク機器Ｃ、Ｄは、有機ＥＬディスプレイ、液晶ディスプレイ、プロジェクターであっても良い。
【符号の説明】
【０１３２】
Ａ、Ｂ  カラオケ機器切替装置
１  四連動プッシュ式スイッチ
２  音響装置
５  セレクター
１１  第１押圧釦
１２  第２押圧釦
１３  第３押圧釦
１４  第４押圧釦
２１  スピーカー（スピーカー群）
２２  ライン入力端子
２３  アンプ
Ｃ  シンク機器（シンク機器、第１のシンク機器）
ｃ  ＨＤＭＩ入力端子
Ｄ  シンク機器（第２のシンク機器）
ｄ  ＨＤＭＩ入力端子
ｍ  赤外線
Ｍ  マイク
４１  第１のソース機器
４１ａ  ＨＤＭＩ出力端子
４１ｂ  ライン出力端子
４２  第２のソース機器
４２ａ  ＨＤＭＩ出力端子
４２ｂ  ライン出力端子
４３  第３のソース機器
４３ａ  ＨＤＭＩ出力端子
４３ｂ  ライン出力端子
４４  第４のソース機器
４４ａ  ＨＤＭＩ出力端子
４４ｂ  ライン出力端子
５７  入力切替装置
５８  ＨＤＭＩスプリッター
６１、６２、６３、６４  入力側のＨＤＭＩケーブル
６５  出力側のＨＤＭＩケーブル
６６  出力側のＨＤＭＩケーブル
７０  ＲＣＡケーブル（入力側のＲＣＡケーブル）
７５  出力側のＲＣＡケーブル
７１、７２、７３、７４  入力側のＲＣＡケーブル
５１０  外部音声入力端子
５１１  音声ミキサー
５１２  出力部
５２１  第１のＨＤＭＩ入力端子
５２２  第１のライン入力端子
５３１  第２のＨＤＭＩ入力端子
５３２  第２のライン入力端子
５４１  第３のＨＤＭＩ入力端子
５４２  第３のライン入力端子
５５１  第４のＨＤＭＩ入力端子
５５２  第４のライン入力端子
５６１  ＨＤＭＩ出力端子
５６２  ライン出力端子
５６３  第１のＨＤＭＩ出力端子
５６４  第２のＨＤＭＩ出力端子
５７０  マイクロコンピュター
５７１  切替手段
【図１】
2019128410.tif 000003
【図２】
2019128410.tif 000004
【図３】
2019128410.tif 000005
【図４】
2019128410.tif 000006
【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
第１〜第４押圧釦（１１〜１４）の内の任意の押圧釦の押込操作により他の押圧釦を初期位置に復帰させて各電気接点を開閉する単投形の四連動プッシュ式スイッチ（１）と、  スピーカー群（２１、…２１）とライン入力端子（２２）を有するアンプ（２３）とを備えた音響装置（２）と、
ＨＤＭＩ入力端子（ｃ）を有し、動画や静止画の表示が可能なディスプレイであるシンク機器（Ｃ）と、
前記スピーカー群（２１、…２１）から発せられる音響および前記シンク機器（Ｃ）のディスプレイ画面に表示される映像に合わせて歌唱者が発声する音声を電気信号に変換するとともに、該電気信号を赤外線（ｍ）や電波に重畳させるマイク（Ｍ）と、
前記赤外線（ｍ）や前記電波に重畳された前記電気信号を復調して増幅し、この増幅された音声信号を二系統、出力するマイクレシーバー（３）と、
ネットワークを介してサーバから配信される多数の楽曲データーを格納する記憶装置を有し楽曲演奏用のデジタル映像信号を出力するＨＤＭＩ出力端子（４１ａ）、および前記マイクレシーバー（３）が出力する一方の音声信号を伴奏用の音響信号に重畳したアナログ音響信号を出力するライン出力端子（４１ｂ）を有するカラオケコマンダーである第１のソース機器（４１）と、
デジタル映像信号を出力するＨＤＭＩ出力端子（４２ａ）およびアナログ音響信号を出力するライン出力端子（４２ｂ）を有するパソコンである第２のソース機器（４２）と、  デジタル映像信号を出力するＨＤＭＩ出力端子（４３ａ）およびアナログ音響信号を出力するライン出力端子（４３ｂ）を有する光ディスクプレーヤーである第３のソース機器（４３）と、
携帯端末（Ｋ）のＬｉｇｈｔｎｉｎｇ出力またはＭＨＬ出力をＨＤＭＩ出力に変換しデジタル映像信号を出力するＨＤＭＩ出力端子（４４ａ）、およびアナログ音響信号を出力するライン出力端子（４４ｂ）を有するＨＤＭＩ変換器である第４のソース機器（４４）と、
前記マイクレシーバー（３）が出力する他方の音声信号を入力するための外部音声入力端子（５１０）、該外部音声入力端子（５１０）から入力された前記音声信号のレベルを調整し、この調整済音声信号を出力部（５１２）から出力する音声ミキサー（５１１）、前記第１のソース機器（４１）が出力するデジタル映像信号およびアナログ音響信号を入力するための第１のＨＤＭＩ入力端子（５２１）および第１のライン入力端子（５２２）、前記第２のソース機器（４２）が出力するデジタル映像信号およびアナログ音響信号を入力するための第２のＨＤＭＩ入力端子（５３１）および第２のライン入力端子（５３２）、前記音声ミキサー（５１１）の出力部（５１２）から出力される前記調整済音声信号と前記第２のライン入力端子（５３２）から出力される前記第２のソース機器（４２）の前記アナログ音響信号とを重畳した信号を入力切替装置（５７）へ出力する第１の信号重畳回路（ｊ１）、前記第３のソース機器（４３）が出力するデジタル映像信号およびアナログ音響信号を入力するための第３のＨＤＭＩ入力端子（５４１）および第３のライン入力端子（５４２）、前記音声ミキサー（５１１）の出力部（５１２）から出力される前記調整済音声信号と前記第３のライン入力端子（５４２）から出力される前記第３のソース機器（４３）の前記アナログ音響信号とを重畳した信号を入力切替装置（５７）へ出力する第２の信号重畳回路（ｊ２）、前記第４のソース機器（４４）が出力するデジタル映像信号およびアナログ音響信号を入力するための第４のＨＤＭＩ入力端子（５５１）および第４のライン入力端子（５５２）、ＨＤＭＩ出力端子（５６１）、前記音声ミキサー（５１１）の出力部（５１２）から出力される前記調整済音声信号と前記第４のライン入力端子（５５２）から出力される前記第４のソース機器（４４）の前記アナログ音響信号とを重畳した信号を入力切替装置（５７）へ出力する第３の信号重畳回路（ｊ３）、ライン出力端子（５６２）、および切替手段（５７１）を制御するマイクロコンピュター（５７０）を有する入力切替装置（５７）を備えるセレクター（５）と、
第１〜第４のソース機器（４１、４２、４３、４４）の各ＨＤＭＩ出力端子（４１ａ、４２ａ、４３ａ、４４ａ）と前記セレクター（５）の第１〜第４のＨＤＭＩ入力端子（５２１、５３１、５４１、５５１）とを接続する四本の入力側のＨＤＭＩケーブル（６１、６２、６３、６４）と、
前記セレクタ（５）の前記ＨＤＭＩ出力端子（５６１）と前記シンク機器（Ｃ）の前記ＨＤＭＩ入力端子（ｃ）とを接続する出力側のＨＤＭＩケーブル（６５）と、
第１〜第４のソース機器（４１、４２、４３、４４）の各ライン出力端子（４１ｂ、４２ｂ、４３ｂ、４４ｂ）と前記セレクター（５）の第１〜第４のライン入力端子（５２２、５３２、５４２、５５２）とを接続する四本の入力側のＲＣＡケーブル（７１、７２、７３、７４）と、
前記セレクタ（５）のライン出力端子（５６２）と前記アンプ（２３）のライン入力端子（２２）とを接続する出力側のＲＣＡケーブル（７５）とを具備するカラオケ機器切替装置であって、
前記セレクター（５）は、前記四連動プッシュ式スイッチ（１）の各接点と接続ケーブル（５０）で電気接続され、
前記マイクロコンピュター（５７０）は、
前記第１押圧釦（１１）の押込位置では、第１のＨＤＭＩ入力端子（５２１）、前記第１のライン入力端子（５２２）が、それぞれ、前記セレクター（５）のＨＤＭＩ出力端子（５６１）、前記セレクター（５）の前記ライン出力端子（５６２）へ電気的に接続される様に前記切替手段（５７１）を操作し、
前記第２押圧釦（１２）の押込位置では、前記第２のＨＤＭＩ入力端子（５３１）が前記セレクター（５）のＨＤＭＩ出力端子（５６１）へ電気的に接続され、前記第１の信号重畳回路（ｊ１）で重畳した信号が前記セレクター（５）の前記ライン出力端子（５６２）へ案内される様に前記切替手段（５７１）を操作し、
前記第３押圧釦（１３）の押込位置では、前記第３のＨＤＭＩ入力端子（５４１）が前記セレクター（５）のＨＤＭＩ出力端子（５６１）へ電気的に接続され、前記第２の信号重畳回路（ｊ２）で重畳した信号が前記セレクター（５）の前記ライン出力端子（５６２）へ案内される様に前記切替手段（５７１）を操作し、
前記第４押圧釦（１４）の押込位置では、前記第４のＨＤＭＩ入力端子（５５１）が前記セレクター（５）の前記ＨＤＭＩ出力端子（５６１）へ電気的に接続され、前記第３の信号重畳回路（ｊ３）で重畳した信号が前記セレクター（５）の前記ライン出力端子（５６２）へ案内される様に前記切替手段（５７１）を操作することを特徴とするカラオケ機器切替装置（Ａ）。
【請求項２】
第１〜第４押圧釦（１１〜１４）の内の任意の押圧釦の押込操作により他の押圧釦を初期位置に復帰させて各電気接点を開閉する単投形の四連動プッシュ式スイッチ（１）と、  スピーカー群（２１、…２１）とライン入力端子（２２）を有するアンプ（２３）とを備えた音響装置（２）と、
ＨＤＭＩ入力端子（ｃ）を有し、動画や静止画の表示が可能な第１のディスプレイである第１のシンク機器（Ｃ）と、
ＨＤＭＩ入力端子（ｄ）を有し、動画や静止画の表示が可能な第２のディスプレイである第２のシンク機器（Ｄ）と、
前記スピーカー群（２１、…２１）から発せられる音響、および前記第１のシンク機器（Ｃ）の前記第１ディスプレイまたは前記第２のシンク機器（Ｄ）の前記第２ディスプレイに表示される映像に合わせて歌唱者が発声する音声を電気信号に変換するとともに、該電気信号を赤外線（ｍ）や電波に重畳させるマイク（Ｍ）と、
前記赤外線（ｍ）や前記電波に重畳された前記電気信号を復調して増幅し、この増幅された音声信号を二系統、出力するマイクレシーバー（３）と、
ネットワークを介してサーバから配信される多数の楽曲データーを格納する記憶装置を有し楽曲演奏用のデジタル映像信号を出力するＨＤＭＩ出力端子（４１ａ）、および前記マイクレシーバー（３）が出力する一方の音声信号を伴奏用の音響信号に重畳したアナログ音響信号を出力するライン出力端子（４１ｂ）を有するカラオケコマンダーである第１のソース機器（４１）と、
デジタル映像信号を出力するＨＤＭＩ出力端子（４２ａ）およびアナログ音響信号を出力するライン出力端子（４２ｂ）を有するパソコンである第２のソース機器（４２）と、  デジタル映像信号を出力するＨＤＭＩ出力端子（４３ａ）およびアナログ音響信号を出力するライン出力端子（４３ｂ）を有する光ディスクプレーヤーである第３のソース機器（４３）と、
携帯端末（Ｋ）のＬｉｇｈｔｎｉｎｇ出力またはＭＨＬ出力をＨＤＭＩ出力に変換しデジタル映像信号を出力するＨＤＭＩ出力端子（４４ａ）、およびアナログ音響信号を出力するライン出力端子（４４ｂ）を有するＨＤＭＩ変換器である第４のソース機器（４４）と、
前記マイクレシーバー（３）が出力する他方の前記音声信号を入力するための外部音声入力端子（５１０）、該外部音声入力端子（５１０）から入力された前記音声信号のレベルと音調を調整し、この調整済音声信号を出力部（５１２）から出力する音声ミキサー（５１１）、前記第１のソース機器（４１）が出力するデジタル映像信号およびアナログ音響信号を入力するための第１のＨＤＭＩ入力端子（５２１）および第１のライン入力端子（５２２）、前記第２のソース機器（４２）が出力するデジタル映像信号およびアナログ音響信号を入力するための第２のＨＤＭＩ入力端子（５３１）および第２のライン入力端子（５３２）、前記音声ミキサー（５１１）の出力部（５１２）から出力される前記調整済音声信号と前記第２のライン入力端子（５３２）から出力される前記第２のソース機器（４２）の前記アナログ音響信号とを重畳した信号を入力切替装置（５７）へ出力する第１の信号重畳回路（ｊ１）、前記第３のソース機器（４３）が出力するデジタル映像信号およびアナログ音響信号を入力するための第３のＨＤＭＩ入力端子（５４１）および第３のライン入力端子（５４２）、前記音声ミキサー（５１１）の出力部（５１２）から出力される前記調整済音声信号と前記第３のライン入力端子（５４２）から出力される前記第３のソース機器（４３）の前記アナログ音響信号とを重畳した信号を入力切替装置（５７）へ出力する第２の信号重畳回路（ｊ２）、前記第４のソース機器（４４）が出力するデジタル映像信号およびアナログ音響信号を入力するための第４のＨＤＭＩ入力端子（５５１）および第４のライン入力端子（５５２）、前記音声ミキサー（５１１）の出力部（５１２）から出力される前記調整済音声信号と前記第４のライン入力端子（５５２）から出力される前記第４のソース機器（４４）の前記アナログ音響信号とを重畳した信号を入力切替装置（５７）へ出力する第３の信号重畳回路（ｊ３）、ＨＤＭＩスプリッター（５８）により二分配されたデジタル映像信号が出力される第１のＨＤＭＩ出力端子（５６３）と第２のＨＤＭＩ出力端子（５６４）、ライン出力端子（５６２）および切替手段（５７１）を制御するマイクロコンピュター（５７０）を有する入力切替装置（５７）を備えるセレクター（５）と、
第１〜第４のソース機器（４１、４２、４３、４４）の各ＨＤＭＩ出力端子（４１ａ、４２ａ、４３ａ、４４ａ）と前記セレクター（５）の第１〜第４のＨＤＭＩ入力端子（５２１、５３１、５４１、５５１）とを接続する四本の入力側のＨＤＭＩケーブル（６１、６２、６３、６４）と、
前記セレクタ（５）の前記第１のＨＤＭＩ出力端子（５６３）および第２のＨＤＭＩ出力端子（５６４）と前記第１、第２のシンク機器（Ｃ、Ｄ）の各ＨＤＭＩ入力端子（ｃ、ｄ）とを接続する出力側の二本の出力側のＨＤＭＩケーブル（６５、６６）と、
第１〜第４のソース機器（４１、４２、４３、４４）の各ライン出力端子（４１ｂ、４２ｂ、４３ｂ、４４ｂ）と前記セレクター（５）の第１〜第４のライン入力端子（５２２、５３２、５４２、５５２）とを接続する四本の入力側のＲＣＡケーブル（７１、７２、７３、７４）と、
前記セレクタ（５）のライン出力端子（５６２）と前記アンプ（２３）のライン入力端子（２２）とを接続する出力側のＲＣＡケーブル（７５）とを具備するカラオケ機器切替装置であって、
前記セレクター（５）は、前記四連動プッシュ式スイッチ（１）の各接点と接続ケーブル（５０）で電気接続され、
前記マイクロコンピュター（５７０）は、
前記第１押圧釦（１１）の押込位置では、第１のＨＤＭＩ入力端子（５２１）、前記第１のライン入力端子（５２２）が、それぞれ、前記ＨＤＭＩスプリッター（５８）の入力部（５８１）、前記セレクター（５）の前記ライン出力端子（５６２）へ電気的に接続される様に前記切替手段（５７１）を操作し、
前記第２押圧釦（１２）の押込位置では、前記第２のＨＤＭＩ入力端子（５３１）が前記ＨＤＭＩスプリッター（５８）の入力部（５８１）へ電気的に接続され、前記第１の信号重畳回路（ｊ１）で重畳した信号が前記セレクター（５）の前記ライン出力端子（５６２）へ電気的に接続される様に前記切替手段（５７１）を操作し、
前記第３押圧釦（１３）の押込位置では、前記第３のＨＤＭＩ入力端子（５４１）が前記ＨＤＭＩスプリッター（５８）の入力部（５８１）へ電気的に接続され、前記第１の信号重畳回路（ｊ２）で重畳した信号が前記セレクター（５）の前記ライン出力端子（５６２）へ電気的に接続される様に前記切替手段（５７１）を操作し、
前記第４押圧釦（１４）の押込位置では、前記第４のＨＤＭＩ入力端子（５５１）が前記ＨＤＭＩスプリッター（５８）の入力部（５８１）へ電気的に接続され、前記第２の信号重畳回路（ｊ３）で重畳した信号が前記セレクター（５）の前記ライン出力端子（５６２）へ電気的に接続される様に前記切替手段（５７１）を操作することを特徴とするカラオケ機器切替装置（Ｂ）。
【手続補正２】
【補正対象書類名】明細書
【補正対象項目名】０００６
【補正方法】変更
【補正の内容】
【０００６】
［請求項１について］
カラオケ機器切替装置（Ａ）は、四連動プッシュ式スイッチ（１）と、音響装置（２）と、ディスプレイであるシンク機器（Ｃ）と、マイク（Ｍ）と、マイクレシーバー（３）と、第１〜第４のソース機器（４１〜４４）と、セレクター（５）と、入力側のＨＤＭＩケーブル（６１〜６４）と、出力側のＨＤＭＩケーブル（６５）と、入力側のＲＣＡケーブル（７１〜７４）と、出力側のＲＣＡケーブル（７５）とを備える（なお、ＨＤＭＩは登録商標）。
【手続補正３】
【補正対象書類名】明細書
【補正対象項目名】０００７
【補正方法】変更
【補正の内容】
【０００７】
四連動プッシュ式スイッチ（１）は、単投形であり、第１押圧釦（１１）〜第４押圧釦（１４）の内の任意の押圧釦を押込操作する（電気接点が閉になる）と、他の押圧釦が初期位置（電気接点が開状態）に復帰する構造であり、これにより、各電気接点が開閉される。
【手続補正４】
【補正対象書類名】明細書
【補正対象項目名】０００８
【補正方法】変更
【補正の内容】
【０００８】
音響装置（２）は、スピーカー群（２１、…２１）と、ライン入力端子（２２）を有するアンプ（２３）とを備える。
シンク機器（Ｃ）は、ＨＤＭＩ入力端子（ｃ）を有し、動画や静止画の表示が可能なディスプレイである。
【手続補正５】
【補正対象書類名】明細書
【補正対象項目名】０００９
【補正方法】変更
【補正の内容】
【０００９】
マイク（Ｍ）は、スピーカー群（２１、…２１）から発せられる音響およびシンク機器（Ｃ）のディスプレイに表示される映像に合わせて歌唱者が発声する音声を電気信号に変換するとともに、この電気信号を赤外線（ｍ）や電波に重畳させる。
【手続補正６】
【補正対象書類名】明細書
【補正対象項目名】００１０
【補正方法】変更
【補正の内容】
【００１０】
マイクレシーバー（３）は、赤外線（ｍ）や電波（マイクから発信）に重畳した電気信号を復調して増幅し、この増幅された音声信号を二系統、出力する。
【手続補正７】
【補正対象書類名】明細書
【補正対象項目名】００１１
【補正方法】変更
【補正の内容】
【００１１】
第１のソース機器（４１）は、ネットワークを介してサーバから配信される多数の楽曲データーを格納する記憶装置を有し、楽曲演奏用のデジタル映像信号を出力するＨＤＭＩ出力端子（４１ａ）と、マイクレシーバー（３）が出力する音声信号（一方側）を伴奏用の音響信号に重畳したアナログ音響信号を出力するライン出力端子（４１ｂ）とを有するカラオケコマンダーである。
【手続補正８】
【補正対象書類名】明細書
【補正対象項目名】００１２
【補正方法】変更
【補正の内容】
【００１２】
第２のソース機器（４２）は、デジタル映像信号を出力するＨＤＭＩ出力端子（４２ａ）と、アナログの音響信号を出力するライン出力端子（４２ｂ）とを有するパソコンである。
第３のソース機器（４３）は、デジタル映像信号を出力するＨＤＭＩ出力端子（４３ａ）と、アナログの音響信号を出力するライン出力端子（４３ｂ）とを有する光ディスクプレーヤーである。
【手続補正９】
【補正対象書類名】明細書
【補正対象項目名】００１３
【補正方法】変更
【補正の内容】
【００１３】
第４のソース機器（４４）は、携帯端末（Ｋ）のＬｉｇｈｔｎｉｎｇ出力または携帯端末（Ｋ）のＭＨＬ出力をＨＤＭＩ出力およびアナログ出力に変換するＨＤＭＩ変換器であり、デジタル映像信号を出力するＨＤＭＩ出力端子（４４ａ）と、アナログの音響信号を出力するライン出力端子（４４ｂ）とを有する。
【手続補正１０】
【補正対象書類名】明細書
【補正対象項目名】００１４
【補正方法】変更
【補正の内容】
【００１４】
セレクター（５）は、外部音声入力端子（５１０）と、音声ミキサー（５１１）と、第１のＨＤＭＩ入力端子（５２１）および第１のライン入力端子（５２２）と、第２のＨＤＭＩ入力端子（５３１）および第２のライン入力端子（５３２）と、第１の信号重畳回路（ｊ１）と、第３のＨＤＭＩ入力端子（５４１）および第３のライン入力端子（５４２）と、第２の信号重畳回路（ｊ２）と、第４のＨＤＭＩ入力端子（５５１）および第４のライン入力端子（５５２）と、第３の信号重畳回路（ｊ３）と、ＨＤＭＩ出力端子（５６１）およびライン出力端子（５６２）と、切替手段（５７１）を制御するマイクロコンピュター（５７０）を有する入力切替装置（５７）を備える。
【手続補正１１】
【補正対象書類名】明細書
【補正対象項目名】００１５
【補正方法】変更
【補正の内容】
【００１５】
外部音声入力端子（５１０）には、マイクレシーバー（３）が出力する音声信号（他方側）が入力される。音声ミキサー（５１１）は、外部音声入力端子（５１０）から入力された音声信号のレベルを調整して出力部（５１２）から調整済の音声信号を出力する。
【手続補正１２】
【補正対象書類名】明細書
【補正対象項目名】００１６
【補正方法】変更
【補正の内容】
【００１６】
第１のＨＤＭＩ入力端子（５２１）には、カラオケコマンダーである第１のソース機器（４１）が出力するデジタル映像信号が入力される。第１のライン入力端子（５２２）には、カラオケコマンダーである第１のソース機器（４１）が出力するアナログ音響信号が入力される。
【手続補正１３】
【補正対象書類名】明細書
【補正対象項目名】００１７
【補正方法】変更
【補正の内容】
【００１７】
第２のＨＤＭＩ入力端子（５３１）には、パソコンである第２のソース機器（４２）が出力するデジタル映像信号が入力される。第２のライン入力端子（５３２）には、パソコンである第２のソース機器（４２）が出力するアナログ音響信号が入力される。
【手続補正１４】
【補正対象書類名】明細書
【補正対象項目名】００１８
【補正方法】変更
【補正の内容】
【００１８】
第３のＨＤＭＩ入力端子（５４１）には、光ディスクプレーヤーである第３のソース機器（４３）が出力するデジタル映像信号が入力される。第３のライン入力端子（５４２）には、光ディスクプレーヤーである第３のソース機器（４３）が出力するアナログ音響信号が入力される。
【手続補正１５】
【補正対象書類名】明細書
【補正対象項目名】００１９
【補正方法】変更
【補正の内容】
【００１９】
第４のＨＤＭＩ入力端子（５５１）には、ＨＤＭＩ変換器である第４のソース機器（４４）が出力する携帯端末（Ｋ）のデジタル映像信号が入力される。第４のライン入力端子（５５２）には、ＨＤＭＩ変換器である第４のソース機器（４４）が出力する携帯端末（Ｋ）のアナログ音響信号が入力される。
【手続補正１６】
【補正対象書類名】明細書
【補正対象項目名】００２０
【補正方法】変更
【補正の内容】
【００２０】
セレクター（５）は、四連動プッシュ式スイッチ（１）の各接点と接続ケーブル（５０）で電気接続されている。
四連動プッシュ式スイッチ（１）の第１押圧釦（１１）が押し込まれた位置では、セレクター（５）の第１のＨＤＭＩ入力端子（５２１）がセレクター（５）のＨＤＭＩ出力端子（５６１）へ電気的に接続され、セレクター（５）の第１のライン入力端子（５２２）がセレクター（５）のライン出力端子（５６２）へ電気的に接続される様に、入力切替装置（５７）のマイクロコンピュター（５７０）が切替手段（５７１）を制御する。  
【手続補正１７】
【補正対象書類名】明細書
【補正対象項目名】００２１
【補正方法】変更
【補正の内容】
【００２１】
四連動プッシュ式スイッチ（１）の第２押圧釦（１２）が押し込まれた位置では、セレクター（５）の第２のＨＤＭＩ入力端子（５３１）がセレクター（５）のＨＤＭＩ出力端子（５６１）へ電気的に接続され、セレクター（５）の第１の信号重畳回路（ｊ１）の出力側がセレクター（５）のライン出力端子（５６２）へ電気的に接続｛第２のライン入力端子（５３２）から出力されるアナログ音響信号と、音声ミキサー（５１１）の出力部（５１２）から出力される調整済音声信号とを第１の信号重畳回路（ｊ１）で重畳した信号がセレクター（５）のライン出力端子（５６２）へ出力される｝される様に切替手段（５７１）を制御する。
【手続補正１８】
【補正対象書類名】明細書
【補正対象項目名】００２２
【補正方法】変更
【補正の内容】
【００２２】
四連動プッシュ式スイッチ（１）の第３押圧釦（１３）が押し込まれた位置では、セレクター（５）の第３のＨＤＭＩ入力端子（５４１）がセレクター（５）のＨＤＭＩ出力端子（５６１）へ電気的に接続され、セレクター（５）の第２の信号重畳回路（ｊ２）の出力側がセレクター（５）のライン出力端子（５６２）へ電気的に接続｛第３のライン入力端子（５４２）から出力されるアナログ音響信号と、音声ミキサー（５１１）の出力部（５１２）から出力される調整済音声信号とを第２の信号重畳回路（ｊ２）で重畳した信号がセレクター（５）のライン出力端子（５６２）へ出力される｝される様に切替手段（５７１）を制御する。
【手続補正１９】
【補正対象書類名】明細書
【補正対象項目名】００２３
【補正方法】変更
【補正の内容】
【００２３】
四連動プッシュ式スイッチ（１）の第４押圧釦（１４）が押し込まれた位置では、セレクター（５）の第４のＨＤＭＩ入力端子（５５１）がセレクター（５）のＨＤＭＩ出力端子（５６１）へ電気的に接続され、セレクター（５）の第３の信号重畳回路（ｊ３）の出力側がセレクター（５）のライン出力端子（５６２）へ電気的に接続｛第４のライン入力端子（５５２）から出力されるアナログ音響信号と、音声ミキサー（５１１）の出力部（５１２）から出力される調整済音声信号とを第３の信号重畳回路（ｊ３）で重畳した信号がセレクター（５）のライン出力端子（５６２）へ出力される｝される様に切替手段（５７１）を制御する。
【手続補正２０】
【補正対象書類名】明細書
【補正対象項目名】００２４
【補正方法】変更
【補正の内容】
【００２４】
四本の入力側のＨＤＭＩケーブル（６１〜６４）は、各々、第１〜第４のソース機器（４１〜４４）の各ＨＤＭＩ出力端子（４１ａ〜４４ａ）とセレクター（５）の第１〜第４のＨＤＭＩ入力端子（５２１、５３１、５４１、５５１）とを接続するものである。
出力側のＨＤＭＩケーブル（６５）は、セレクタ（５）のＨＤＭＩ出力端子（５６１）と、ディスプレイであるシンク機器（Ｃ）のＨＤＭＩ入力端子（ｃ）とを接続するものである。
【手続補正２１】
【補正対象書類名】明細書
【補正対象項目名】００２５
【補正方法】変更
【補正の内容】
【００２５】
四本の入力側のＲＣＡケーブル（７１〜７４）は、各々、第１〜第４のソース機器（４１〜４４）の各ライン出力端子（４１ｂ、４２ｂ、４３ｂ、４４ｂ）とセレクター（５）の第１〜第４のライン入力端子（５２２、５３２、５４２、５５２）とを接続するものである。
出力側のＲＣＡケーブル（７５）は、セレクター（５）のライン出力端子（５６２）とアンプ（２３）のライン入力端子（２２）とを接続するものである。
【手続補正２２】
【補正対象書類名】明細書
【補正対象項目名】００２６
【補正方法】変更
【補正の内容】
【００２６】
請求項１のカラオケ機器切替装置（Ａ）は、下記の利点を有する。
カラオケ店に来店した歌唱者または同伴者が、四連動プッシュ式スイッチ（１）の第１押圧釦（１１）〜第４押圧釦（１４）の何れかを押圧して押し込めば、四種類のソース機器（４１〜４４）｛カラオケコマンダー、光ディスクプレーヤー、パソコン、携帯端末｝を簡単に切り替えることができる。
【手続補正２３】
【補正対象書類名】明細書
【補正対象項目名】００２７
【補正方法】変更
【補正の内容】
【００２７】
なお、四連動プッシュ式スイッチ（１）は、単投形で、第１押圧釦（１１）〜第４押圧釦（１４）のどれかを押込操作する（電気接点が閉になる）と、他の押圧釦が初期位置（電気接点が開状態）に復帰する構造であるので、現在、どの押圧釦が押込操作されているか、一目で判る、このため、歌唱者および同伴者は、現在、どのソース機器（カラオケコマンダー、光ディスクプレーヤー、パソコン、携帯端末）が利用できるのか容易に判別できる。
【手続補正２４】
【補正対象書類名】明細書
【補正対象項目名】００２８
【補正方法】変更
【補正の内容】
【００２８】
四連動プッシュ式スイッチ（１）を切り替えることにより、ケーブルを繋ぎ替えることなく、カラオケコマンダー以外に、光ディスクプレーヤー、パソコン、または携帯端末と言ったソース機器が、音響装置（２）およびシンク機器（Ｃ）｛ディスプレイ｝に電気的に接続される。
このため、カラオケ店に来店した歌唱者および同伴者は、楽曲の伴奏データが入った私有の光ディスクを持ち込んで光ディスクプレーヤーで再生したり、備え付けのパソコンや、私有の携帯端末を使ってインターネットから楽曲の伴奏データを取り込んで利用することができる。また、カラオケ以外のコンテンツ（ビデオゲーム、映画鑑賞、テレビの試聴）を手軽に楽しむことができる。
【手続補正２５】
【補正対象書類名】明細書
【補正対象項目名】００２９
【補正方法】変更
【補正の内容】
【００２９】
カラオケコマンダー以外のソース機器を使う場合も、同じマイク（Ｍ）を使って歌唱することができるので、カラオケ機器切替装置（Ａ）は、使い勝手が良い。なお、外部音声入力端子（５１０）から入力されたマイクレシーバー（３）の音声信号のレベルを音声ミキサー（５１１）で調整できるので快適に歌唱することができる。
【手続補正２６】
【補正対象書類名】明細書
【補正対象項目名】００３０
【補正方法】変更
【補正の内容】
【００３０】
マイクレシーバー（３）が音声信号を二系統出力し、一系統側（一方側）の音声信号をカラオケコマンダーに入力しているので、カラオケコマンダーの採点機能が損なわれない。
【手続補正２７】
【補正対象書類名】明細書
【補正対象項目名】００３１
【補正方法】変更
【補正の内容】
【００３１】
各ソース機器（カラオケコマンダー、光ディスクプレーヤー、パソコン、携帯端末）の各ＨＤＭＩ出力端子（４１ａ、４２ａ、４３ａ、４４ａ）に接続されるセレクター（５）の第１〜第４のＨＤＭＩ入力端子（５２１、５３１、５４１、５５１）と、シンク機器（Ｃ）｛ディスプレイ）｝のＨＤＭＩ入力端子（ｃ）に接続されるセレクター（５）のＨＤＭＩ出力端子（５６１）との電気接続を切替手段（５７１）が完全に切り替えているのに加え、各ソース機器のライン出力端子（４１ｂ、４２ｂ、４３ｂ、４４ｂ）に接続されるセレクター（５）の第１〜第４のライン入力端子（５２２、５３２、５４２、５５２）と、アンプ（２３）のライン入力端子（２２）との電気接続を切替手段（５７１）が完全に切り替えているので、四連動プッシュ式スイッチ（１）のどれかの押圧釦を押込操作してソース機器を切り替える際に、ソース機器間の干渉が防止できる。
【手続補正２８】
【補正対象書類名】明細書
【補正対象項目名】００３２
【補正方法】変更
【補正の内容】
【００３２】
［請求項２について］
カラオケ機器切替装置（Ｂ）は、四連動プッシュ式スイッチ（１）と、音響装置（２）と、第１、第２のディスプレイである第１、第２のシンク機器（Ｃ、Ｄ）と、マイク（Ｍ）と、マイクレシーバー（３）と、第１〜第４のソース機器（４１〜４４）と、セレクター（５）と、入力側のＨＤＭＩケーブル（６１〜６４）と、出力側のＨＤＭＩケーブル（６５）と、入力側のＲＣＡケーブル（７１〜７４）と、出力側のＲＣＡケーブル（７５）とを備える。
【手続補正２９】
【補正対象書類名】明細書
【補正対象項目名】００３３
【補正方法】変更
【補正の内容】
【００３３】
四連動プッシュ式スイッチ（１）は、単投形であり、第１押圧釦（１１）〜第４押圧釦（１４）の内の任意の押圧釦を押込操作する（電気接点が閉になる）と、他の押圧釦が初期位置（電気接点が開状態）に復帰する構造であり、これにより、各電気接点が開閉される。
【手続補正３０】
【補正対象書類名】明細書
【補正対象項目名】００３４
【補正方法】変更
【補正の内容】
【００３４】
音響装置（２）は、スピーカー群（２１、…２１）と、ライン入力端子（２２）を有するアンプ（２３）とを備える。
第１のシンク機器（Ｃ）は、ＨＤＭＩ入力端子（ｃ）を有し、動画や静止画の表示が可能な第１のディスプレイである。
第２のシンク機器（Ｄ）は、ＨＤＭＩ入力端子（ｄ）を有し、動画や静止画の表示が可能な第２のディスプレイである。
【手続補正３１】
【補正対象書類名】明細書
【補正対象項目名】００３５
【補正方法】変更
【補正の内容】
【００３５】
マイク（Ｍ）は、スピーカー群（２１、…２１）から発せられる音響、および第１のシンク機器（Ｃ）の第１のディスプレイまたは第２のシンク機器（Ｄ）の第２のディスプレイに表示される映像に合わせて歌唱者が発声する音声を電気信号に変換するとともに、この電気信号を赤外線（ｍ）や電波に重畳させる。
【手続補正３２】
【補正対象書類名】明細書
【補正対象項目名】００３６
【補正方法】変更
【補正の内容】
【００３６】
マイクレシーバー（３）は、赤外線（ｍ）や電波（マイクから発信）に重畳した電気信号を復調して増幅し、この増幅された音声信号を二系統、出力する。
【手続補正３３】
【補正対象書類名】明細書
【補正対象項目名】００３７
【補正方法】変更
【補正の内容】
【００３７】
第１のソース機器（４１）は、ネットワークを介してサーバから配信される多数の楽曲データーを格納する記憶装置を有し、楽曲演奏用のデジタル映像信号を出力するＨＤＭＩ出力端子（４１ａ）と、マイクレシーバー（３）が出力する音声信号（一方側）を伴奏用の音響信号に重畳したアナログ音響信号を出力するライン出力端子（４１ｂ）とを有するカラオケコマンダーである。
【手続補正３４】
【補正対象書類名】明細書
【補正対象項目名】００３８
【補正方法】変更
【補正の内容】
【００３８】
第２のソース機器（４２）は、デジタル映像信号を出力するＨＤＭＩ出力端子（４２ａ）と、アナログの音響信号を出力するライン出力端子（４２ｂ）とを有するパソコンである。
第３のソース機器（４３）は、デジタル映像信号を出力するＨＤＭＩ出力端子（４３ａ）と、アナログの音響信号を出力するライン出力端子（４３ｂ）とを有する光ディスクプレーヤーである。
【手続補正３５】
【補正対象書類名】明細書
【補正対象項目名】００３９
【補正方法】変更
【補正の内容】
【００３９】
第４のソース機器（４４）は、携帯端末（Ｋ）のＬｉｇｈｔｎｉｎｇ出力または携帯端末（Ｋ）のＭＨＬ出力をＨＤＭＩ出力およびアナログ出力に変換するＨＤＭＩ変換器であり、デジタル映像信号を出力するＨＤＭＩ出力端子（４４ａ）と、アナログの音響信号を出力するライン出力端子（４４ｂ）とを有する。
【手続補正３６】
【補正対象書類名】明細書
【補正対象項目名】００４０
【補正方法】変更
【補正の内容】
【００４０】
セレクター（５）は、外部音声入力端子（５１０）と、音声ミキサー（５１１）と、第１のＨＤＭＩ入力端子（５２１）および第１のライン入力端子（５２２）と、第２のＨＤＭＩ入力端子（５３１）および第２のライン入力端子（５３２）と、第１の信号重畳回路（ｊ１）と、第３のＨＤＭＩ入力端子（５４１）および第３のライン入力端子（５４２）と、第２の信号重畳回路（ｊ２）と、第４のＨＤＭＩ入力端子（５５１）および第４のライン入力端子（５５２）と、第３の信号重畳回路（ｊ３）と、ＨＤＭＩ出力端子（５６１）およびライン出力端子（５６２）と、切替手段（５７１）を制御するマイクロコンピュター（５７０）を有する入力切替装置（５７）を備える。
【手続補正３７】
【補正対象書類名】明細書
【補正対象項目名】００４１
【補正方法】変更
【補正の内容】
【００４１】
外部音声入力端子（５１０）には、マイクレシーバー（３）が出力する音声信号（他方側）が入力される。
請求項２の場合は、音声ミキサー（５１１）は、外部音声入力端子（５１０）から入力された音声信号の、レベルに加え音調も調整して出力部（５１２）から調整済の音声信号を出力する。
【手続補正３８】
【補正対象書類名】明細書
【補正対象項目名】００４２
【補正方法】変更
【補正の内容】
【００４２】
第１のＨＤＭＩ入力端子（５２１）には、カラオケコマンダーである第１のソース機器（４１）が出力するデジタル映像信号が入力される。第１のライン入力端子（５２２）には、カラオケコマンダーである第１のソース機器（４１）が出力するアナログ音響信号が入力される。
【手続補正３９】
【補正対象書類名】明細書
【補正対象項目名】００４３
【補正方法】変更
【補正の内容】
【００４３】
第２のＨＤＭＩ入力端子（５３１）には、パソコンである第２のソース機器（４２）が出力するデジタル映像信号が入力される。第２のライン入力端子（５３２）には、パソコンである第２のソース機器（４２）が出力するアナログ音響信号が入力される。
【手続補正４０】
【補正対象書類名】明細書
【補正対象項目名】００４４
【補正方法】変更
【補正の内容】
【００４４】
第３のＨＤＭＩ入力端子（５４１）には、光ディスクプレーヤーである第３のソース機器（４３）が出力するデジタル映像信号が入力される。第３のライン入力端子（５４２）には、光ディスクプレーヤーである第３のソース機器（４３）が出力するアナログ音響信号が入力される。
【手続補正４１】
【補正対象書類名】明細書
【補正対象項目名】００４５
【補正方法】変更
【補正の内容】
【００４５】
第４のＨＤＭＩ入力端子（５５１）には、ＨＤＭＩ変換器である第４のソース機器（４４）が出力する携帯端末（Ｋ）のデジタル映像信号が入力される。第４のライン入力端子には、ＨＤＭＩ変換器である第４のソース機器が出力する携帯端末（Ｋ）のアナログ音響信号が入力される。
【手続補正４２】
【補正対象書類名】明細書
【補正対象項目名】００４６
【補正方法】変更
【補正の内容】
【００４６】
セレクター（５）は、四連動プッシュ式スイッチ（１）の各接点と接続ケーブル（５０）で電気接続されている。
四連動プッシュ式スイッチ（１）の第１押圧釦（１１）が押し込まれた位置では、セレクター（５）の第１のＨＤＭＩ入力端子（５２１）がＨＤＭＩスプリッター（５８）の入力部（５８１）へ電気的に接続され、セレクター（５）の第１のライン入力端子（５２２）がセレクター（５）のライン出力端子（５６２）へ電気的に接続される様に、入力切替装置（５７）のマイクロコンピュター（５７０）が切替手段（５７１）を操作する。
【手続補正４３】
【補正対象書類名】明細書
【補正対象項目名】００４７
【補正方法】変更
【補正の内容】
【００４７】
四連動プッシュ式スイッチ（１）の第２押圧釦（１２）が押し込まれた位置では、セレクター（５）の第２のＨＤＭＩ入力端子（５３１）がＨＤＭＩスプリッター（５８）の入力部（５８１）へ電気的に接続され、第１の信号重畳回路（ｊ１）で重畳した信号がセレクター（５）のライン出力端子（５６２）へ案内される様に切替手段（５７１）を操作する。
【手続補正４４】
【補正対象書類名】明細書
【補正対象項目名】００４８
【補正方法】変更
【補正の内容】
【００４８】
四連動プッシュ式スイッチ（１）の第３押圧釦（１３）が押し込まれた位置では、セレクター（５）の第３のＨＤＭＩ入力端子（５４１）がＨＤＭＩスプリッター（５８）の入力部（５８１）へ電気的に接続され、第２の信号重畳回路（ｊ２）で重畳した信号がセレクター（５）のライン出力端子（５６２）へ案内される様に切替手段（５７１）を操作する。
【手続補正４５】
【補正対象書類名】明細書
【補正対象項目名】００４９
【補正方法】変更
【補正の内容】
【００４９】
四連動プッシュ式スイッチ（１）の第４押圧釦（１４）が押し込まれた位置では、セレクター（５）の第４のＨＤＭＩ入力端子（５５１）がセレクター（５）のＨＤＭＩスプリッター（５８）の入力部（５８１）へ電気的に接続され、第３の信号重畳回路（ｊ３）で重畳した信号がセレクター（５）のライン出力端子（５６２）へ案内される様に切替手段（５７１）を操作する。
【手続補正４６】
【補正対象書類名】明細書
【補正対象項目名】００５０
【補正方法】変更
【補正の内容】
【００５０】
四本の入力側のＨＤＭＩケーブル（６１〜６４）は、各々、第１〜第４のソース機器（４１〜４４）の各ＨＤＭＩ出力端子（４１ａ〜４４ａ）とセレクター（５）の第１〜第４のＨＤＭＩ入力端子（５２１、５３１、５４１、５５１）とを接続するものである。
二本の出力側のＨＤＭＩケーブル（６５、６６）は、セレクタ（５）の第１、第２のＨＤＭＩ出力端子（５６３、５６４）と、第１、第２のディスプレイである第１、第２のシンク機器（Ｃ、Ｄ）の各ＨＤＭＩ入力端子（ｃ、ｄ）とを接続するものである。
【手続補正４７】
【補正対象書類名】明細書
【補正対象項目名】００５１
【補正方法】変更
【補正の内容】
【００５１】
四本の入力側のＲＣＡケーブル（７１〜７４）は、各々、第１〜第４のソース機器（４１〜４４）の各ライン出力端子（４１ｂ、４２ｂ、４３ｂ、４４ｂ）とセレクター（５）の第１〜第４のライン入力端子（５２２、５３２、５４２、５５２）とを接続するものである。
出力側のＲＣＡケーブル（７５）は、セレクター（５）のライン出力端子（５６２）とアンプ（２３）のライン入力端子（２２）とを接続するものである。
【手続補正４８】
【補正対象書類名】明細書
【補正対象項目名】００５２
【補正方法】変更
【補正の内容】
【００５２】
請求項２のカラオケ機器切替装置（Ｃ）は、下記の利点を有する。
カラオケ店に来店した歌唱者または同伴者が、四連動プッシュ式スイッチ（１）の第１押圧釦（１１）〜第４押圧釦（１４）の何れかを押圧して押し込めば、四種類のソース機器（４１〜４４）｛カラオケコマンダー、光ディスクプレーヤー、パソコン、携帯端末｝を簡単に切り替えることができる。
【手続補正４９】
【補正対象書類名】明細書
【補正対象項目名】００５３
【補正方法】変更
【補正の内容】
【００５３】
なお、四連動プッシュ式スイッチ（１）は、単投形で、第１押圧釦（１１）〜第４押圧釦（１４）のどれかを押込操作する（電気接点が閉になる）と、他の押圧釦が初期位置（電気接点が開状態）に復帰する構造であるので、現在、どの押圧釦が押込操作されているか、一目で判る、このため、歌唱者および同伴者は、現在、どのソース機器（カラオケコマンダー、光ディスクプレーヤー、パソコン、携帯端末）が利用できるのか容易に判別できる。
【手続補正５０】
【補正対象書類名】明細書
【補正対象項目名】００５４
【補正方法】変更
【補正の内容】
【００５４】
四連動プッシュ式スイッチ（１）を切り替えることにより、ケーブルを繋ぎ替えることなく、カラオケコマンダー以外に、光ディスクプレーヤー、パソコン、または携帯端末と言ったソース機器が、音響装置（２）および第１、第２シンク機器（Ｃ、Ｄ）｛第１のディスプレイ、第２のディスプレイ｝に電気的に接続される。
このため、カラオケ店に来店した歌唱者および同伴者は、楽曲の伴奏データが入った私有の光ディスクを持ち込んで光ディスクプレーヤーで再生したり、備え付けのパソコンや、私有の携帯端末を使ってインターネットから楽曲の伴奏データを取り込んで利用することができる。また、カラオケ以外のコンテンツ（ビデオゲーム、映画鑑賞、テレビの試聴）を手軽に楽しむことができる。
【手続補正５１】
【補正対象書類名】明細書
【補正対象項目名】００５５
【補正方法】変更
【補正の内容】
【００５５】
カラオケコマンダー以外のソース機器を使う場合も、同じマイク（Ｍ）を使って歌唱することができるので、カラオケ機器切替装置（Ｂ）は、使い勝手が良い。なお、外部音声入力端子（５１０）から入力されたマイクレシーバー（３）の音声信号のレベルと音調を音声ミキサー（５１１）で調整できるので快適に歌唱することができる。
【手続補正５２】
【補正対象書類名】明細書
【補正対象項目名】００５６
【補正方法】変更
【補正の内容】
【００５６】
マイクレシーバー（３）が音声信号を二系統出力し、一系統側（一方側）の音声信号をカラオケコマンダーに入力しているので、カラオケコマンダーの採点機能が損なわれない。
【手続補正５３】
【補正対象書類名】明細書
【補正対象項目名】００５７
【補正方法】変更
【補正の内容】
【００５７】
各ソース機器（カラオケコマンダー、光ディスクプレーヤー、パソコン、携帯端末）の各ＨＤＭＩ出力端子（４１ａ、４２ａ、４３ａ、４４ａ）に接続されるセレクター（５）の第１〜第４のＨＤＭＩ入力端子（５２１、５３１、５４１、５５１）と、セレクター（５）のＨＤＭＩ出力端子（５６１）との電気接続を切替手段（５７１）が完全に切り替えているのに加え、各ソース機器のライン出力端子（４１ｂ、４２ｂ、４３ｂ、４４ｂ）に接続されるセレクター（５）の第１〜第４のライン入力端子（５２２、５３２、５４２、５５２）と、アンプ（２３）のライン入力端子（２２）との電気接続を切替手段が完全に切り替えているので、四連動プッシュ式スイッチ（１）のどれかの押圧釦を押込操作してソース機器を切り替える際に、ソース機器間の干渉が防止できる。
【手続補正５４】
【補正対象書類名】明細書
【補正対象項目名】００５８
【補正方法】変更
【補正の内容】
【００５８】
セレクター（５）から出力されるデジタル映像信号を、ＨＤＭＩスプリッター（５８）により二分配して、第１のＨＤＭＩ出力端子（５６３）および第２のＨＤＭＩ出力端子（５６４）へ出力しているので、第１、第２のディスプレイ｛第１、第２のシンク機器（Ｃ、Ｄ）｝に同じ動画や静止画を表示させることができる。なお、第１のディスプレイ（小さい）を歌唱者の近くに臨ませて歌唱者用、第２のディスプレイ（大きい）を壁に臨ませて同伴者用にすることができる。